(57)【要約】【課題】  ケースを傾けて引っ張りながら運搬する型式の転輪付き鞄を、身体の横側部に位置させ、前後左右の占有面積を少なくし、軽快に、かつ、曳行する際の操作性を高める。【解決手段】  ケース本体１の長径方向が前後方向に沿い、転輪２がケース本体１の長径方向に交差する横軸芯ｘまわりで回動し、曳行用の取っ手３の握り部３０と転輪２の接地点Ｏとを結ぶ線分ｙ１が、ケース本体１の前傾姿勢の前縁と、接地点Ｏとケース本体の重心Ｇとを結ぶ線分ｙ２との角度範囲内に位置し、握り部３０は、その長手方向が曳行方向の前後に向き、かつケース本体１の重心Ｇ相当箇所が転輪２の接地点Ｏを通る鉛直線ｙ上に位置する基準曳行姿勢で、ケース本体１の前傾姿勢の前縁の傾斜角度よりも水平に近く設定されている。【選択図】    図３
2007020671.tif 000002
【特許請求の範囲】
【請求項１】
ケース本体に曳行用の取っ手と転輪とを備えた転輪付き鞄であって、
前傾姿勢としたケース本体の水平方向断面での長径方向が前後方向に沿う姿勢で曳行されるように、前記転輪を、ケース本体の前記長径方向に交差する短径方向に沿う横軸芯まわりで回動するように設定して前記ケース本体の底部側の前部に設け、
曳行されるケース本体に対する側面視で、前記転輪の接地点と取っ手の握り部とを結ぶ線分が、前記ケース本体の前傾姿勢の前縁と、前記転輪の接地点とケース本体の重心相当箇所とを結ぶ線分とで構成される角度範囲内に位置するように、前記取っ手の位置を設定し、
前記取っ手の握り部を、その長手方向が曳行方向の前後に向き、かつ前記ケース本体における重心相当箇所が転輪の接地点を通る鉛直線上に位置する基準曳行姿勢で、前記ケース本体の前傾姿勢の前縁の傾斜角度よりも水平に近くなるように設定してある転輪付き鞄。
【請求項２】
ケース本体に曳行用の取っ手と転輪とを備えた転輪付き鞄であって、
前傾姿勢としたケース本体の水平方向断面での長径方向が前後方向に沿う姿勢で曳行されるように、前記転輪を、ケース本体の前記長径方向に交差する短径方向に沿う横軸芯まわりで回動するように設定して前記ケース本体の底部側の前部に設け、
曳行されるケース本体に対する側面視で、前記転輪の接地点と取っ手の握り部とを結ぶ線分が、前記ケース本体の前傾姿勢の前縁と、前記転輪の接地点とケース本体の重心相当箇所とを結ぶ線分とで構成される角度範囲内に位置するように、前記取っ手の位置を設定し、
前記取っ手の握り部を、その長手方向が曳行方向の前後に向き、かつ前記ケース本体における重心相当箇所が転輪の接地点を通る鉛直線上に位置する基準曳行姿勢で、前記ケース本体の前傾姿勢の前縁の傾斜角度よりも水平に近くなるように設定するとともに、
ケース本体の前記曳行操作者に近い側の端部から左右方向における握り部までの距離を、歩行姿勢の曳行操作者が自然に垂らした手による握り位置と曳行操作者のケース本体に近い身体側部との間の左右方向距離と同程度以下になるように設定してある転輪付き鞄。
【請求項３】
ケース本体に曳行用の取っ手と転輪とを備えた転輪付き鞄であって、
前傾姿勢としたケース本体の水平方向断面での長径方向が前後方向に沿う姿勢で曳行されるように、前記転輪を、ケース本体の前記長径方向に交差する短径方向に沿う横軸芯まわりで回動するように設定して前記ケース本体の底部側の前部に設け、
曳行されるケース本体に対する側面視で、前記転輪の接地点と取っ手の握り部とを結ぶ線分が、前記ケース本体の前傾姿勢の前縁と、前記転輪の接地点とケース本体の重心相当箇所とを結ぶ線分とで構成される角度範囲内に位置するように、ケース本体に対する前記取っ手の位置を設定し、
かつ、この取っ手は、前記ケース本体における重心相当箇所が転輪の接地点を通る鉛直線上に位置する基準曳行姿勢で、前記転輪の接地点と基準曳行姿勢における取っ手の握り部とを結ぶ線分の周りにケース本体が旋回して、基準曳行姿勢では前記鉛直線よりも後方側に位置していたケース本体の部分が前記線分よりも前方側に位置するように向きを変えても、ケース本体の底縁が水平よりも上向きであるように、前記基準曳行姿勢における前記転輪の接地点と曳行姿勢における取っ手の握り部とを結ぶ線分の角度を設定して配設してあり、
さらに前記取っ手の握り部を、その長手方向が曳行方向の前後に向き、かつ前記ケース本体における重心相当箇所が転輪の接地点を通る鉛直線上に位置する基準曳行姿勢で、前記ケース本体の前傾姿勢の前縁の傾斜角度よりも水平に近くなるように設定してある転輪付き鞄。
【請求項４】
曳行時に前傾姿勢となるケース本体の前縁に対向する部位の後縁と、ケース本体の上縁との交差角が鈍角となるようにケース本体の外郭形状を設定し、そのケース本体の鈍角の角部における外郭形状に沿って、伸縮杆部分と握り部との交差角を鈍角に設定した取っ手を設けてある請求項１、２、または３記載の転輪付き鞄。
【請求項５】
曳行時に前傾姿勢となるケース本体の前縁に対向する部位の後縁と、ケース本体の上縁との交差角が鈍角となるようにケース本体の外郭形状を設定し、そのケース本体の上縁部に軟質の取っ手を設けてある請求項１、２、または３記載の転輪付き鞄。
【請求項６】
ケース本体に曳行用の取っ手と転輪とを備えた転輪付き鞄であって、
前傾姿勢としたケース本体の水平方向断面での長径方向が前後方向に沿う姿勢で曳行されるように、前記ケース本体の前記長径方向に沿って回動する向きに回動軸芯を設定した転輪を、前記ケース本体の下部に設けた支脚に装着し、
この支脚を、前記ケース本体の下部から下方に延出された起立姿勢と、その起立姿勢位置よりもケース本体側に引退させた格納姿勢とに姿勢切り換え可能に構成してあり、
前記取っ手を、前記ケース本体の下部で前記支脚を設けた部位に相対向するケース上部近くに、その長手方向が曳行方向の前後に向く状態で設け、
前記ケース本体の側面視における外郭形状の重心相当箇所が、側面視で前記取っ手の握り部の下方で、前記接地点の直上に位置する基準曳行姿勢において、歩行姿勢の曳行操作者が自然に垂らした手による握り位置と同程度の高さ位置に曳行姿勢の取っ手の握り部が位置するように、転輪の接地点から取っ手の握り部までの距離を設定可能に構成してあるとともに、
前記取っ手の握り部を、前記ケース本体における重心相当箇所が転輪の接地点を通る鉛直線上に位置する基準曳行姿勢で、前記ケース本体の前傾姿勢の前縁の傾斜角度よりも水平に近くなるように設定してある転輪付き鞄。
【発明の詳細な説明】
【技術分野】
【０００１】
本発明は、荷重を支持する転輪と曳行用の取っ手とを備えた旅行鞄やビジネス用の鞄など、箱状のケースを、主として傾けて引きながら運搬するための転輪付き鞄の改良に関する。
【背景技術】
【０００２】
一般に転動用の転輪を備えた転輪付き鞄としては、大別して、４個の転輪を接地させた自立姿勢で箱状のケースを移動させる型式の比較的大型のものと、２個の転輪を接地させた前傾姿勢を保って箱状のケースを移動させる型式の比較的小型のものとがある。本発明は、この前傾させた姿勢を保って搬送する型式の転輪付き鞄の改良に関する技術である。以下、本明細書では、使用者が引きまたは押し操作によってケースを移動させる運搬動作を「曳行」と称する。
【０００３】
この種の転輪付き鞄としては、下記［１］〜［３］に記載のものが従来より知られている。
［１］縦辺と横辺とで構成される方形の幅広面を進行方向の前後両側に備えるとともに、前記縦辺と横辺に対して直交する方向の奥行き辺に相当するところの、前記前後両側の幅広の面同士の対向間隔幅によって構成される幅狭の周辺枠面が、前後の幅広面の四周に位置して前後の幅広面の間を繋ぎ、全体が矩形箱状に構成されているケース本体では、その厚みが薄い方向、すなわち最も辺の長さが短い奥行き辺を前後方向に沿わせ、縦横の辺の長さが長い幅広の面を前後に位置させた姿勢で曳行するのが一般的である。
この構造のケースでは、曳行用の取っ手は、進行方向の前面側に位置する幅広面に沿って上下方向に設けられている。また、転輪も、矩形箱状のケース本体の辺長さの長い方向である前側の幅広面を曳行方向に向けて曳行し易いように、その幅広面に沿う方向の軸芯周りで転動するように配設されていた（例えば、特許文献１参照）。
［２］ただし、曳行用の取っ手や転輪が、必ずしも矩形箱状のケース本体の幅広面を曳行方向での前後に位置させて曳行するように設けられているものばかりとは限らず、ごく少数ではあるが矩形箱状のケース本体の幅広面が横に向く状態で曳行されるように、矩形箱状のケース本体の辺長さの短い奥行き辺に沿う方向の軸芯周りで転動する転輪が配置され、取っ手も進行方向の前面側に位置する幅狭の周辺枠面に沿って上下方向に設けられたものもある（例えば図７参照）。
［３］  また、矩形箱状の転輪付き鞄において、矩形箱状のケース本体の幅広面が横に向く状態で曳行されるように、矩形箱状のケース本体の辺長さの短い奥行き辺に沿う方向の軸芯周りで転動するように転輪が配置されているとともに、曳行用の取っ手をケース本体の周辺枠面のうちで進行方向の後面側に沿わせ、転輪が設けられているケース本体の角部に対する対角箇所から前方上方に延出し、曳行姿勢におけるケース本体の水平方向断面での長径方向を前後方向に向けて曳行するようにしたものもある（例えば、特許文献２参照）。
【０００４】
【特許文献１】特開平９−１３５７１７号公報（段落番号００２７−００２９、図１、図２）
【特許文献２】特開平１１−２７６２２６号公報（段落番号００１５−００１７、図１）
【発明の開示】
【発明が解決しようとする課題】
【０００５】
〔前記［１］に示した従来技術について〕
前記[１]に記載したように、矩形箱状のケースを、縦辺と横辺とで構成される方形の幅広面が進行方向の前後両側に位置し、最も辺の長さが短い奥行き辺が前後方向に沿う姿勢で、すなわち最も厚みが薄い方向が前後方向となる状態で曳行するように、転輪及び取っ手の位置を配設した構造の一般的な転輪付き鞄では、次のような問題がある。
すなわち、このような転輪付き鞄を使用する際には、使用者が身体の後側に手を回して取っ手を引っ張りながら曳行しているのであるが、この構造のものでは、矩形箱状のケースの辺長さの長い方向である広幅の面が前に向き左右方向での横幅が広くなり、これが曳行する使用者から後方に離れて位置する。このため、使用者と車輪付き鞄とが占める面積は、前後方向でも左右方向でも広くなって、人混みの中では他の通行者や他物と衝突することがあり、通行の妨げとなり易い。
【０００６】
このような転輪付き鞄を使用する際の使用者の歩行形態を見ると、図８及び図９に示すようになる。
この図８においては、便宜上、同一の図中に、前記[１]に記載した従来構造の転輪付き鞄と、後述する本発明の転輪付き鞄とを、曳行する人物とともに模式的に記載している。つまり、人物Ｂ１〜Ｂ３の曳行する鞄が前記[１]に記載したところの、縦横の辺の長さが長い幅広の面を前後に位置させた姿勢で曳行する構造の転輪付き鞄であり、人物Ａが曳行する転輪付き鞄が後述する本発明の転輪付き鞄である。同図に記載したケース本体１のうち、斜線部分が前記[１]に記載した構造の転輪付き鞄のケース本体を表し、その重心の位置も、符号Ｇが本発明のケース本体１における重心位置を示し、符号Ｇ’が前記[１]に記載した構造の転輪付き鞄の重心位置を示している。
【０００７】
図８において実線で描かれた人物Ｂ１は、ケース本体１の前向きの面に沿う取っ手３’を把持した状態で、前方の脚の踵が着地する直前、もしくは着地した時点で、かつ後方の脚の踵部が地面から離れる直前、もしくは少し浮き上がった状態であり、身体のほぼ中心に相当する点ＢＧ（身体重心）が前後の脚の着地点のほぼ中間点の直上にある。
この状態では、実線で描かれた人物Ｂ１の後方の脚の踵は、実線で描かれた取っ手３’の延長線と同一線上のケース本体１の前縁よりも離れた前方に位置しているが、点線で描かれた人物Ｂ２のように身体重心ＢＧがさらに前方へ移動すると、前方の脚の踵は着地し、後方の脚の踵がより浮き上がり、太い点線で描かれた取っ手３’の延長線と同一線上のケース本体１の前縁（前縁よりも後方側は図示せず）が踵にきわめて近接した状態となる。
次に、二点鎖線で描かれた人物Ｂ３のように身体重心ＢＧがさらに前方へ移動すると、前方の脚はほぼ全面的につま先側まで着地し、後方の脚の踵がさらに浮き上がり、太い二点鎖線で描かれた取っ手３’で引かれたケース本体１の前縁（前縁よりも後方側は図示せず）が踵よりも前方に位置する状態、つまり、踵に衝突した状態となる。このように、少し大きな歩幅で歩くと、取っ手３’を把持する側と同じ側の脚が後方に位置する状態で後方の踵が曳行するケース本体１に接触し、大きな歩幅では歩きにくい傾向がある。
【０００８】
図９（ＩＩ）では、身体の右側に転輪付き鞄を位置させて、右手で取っ手３を把持して歩行している状態を上方からみた状態を示している。前記図８に実線で描かれた人物Ｂ１が曳行する転輪付き鞄のケース本体１の位置が図９（ＩＩ）では二点鎖線で示されており、図８の人物Ａが曳行する転輪付き鞄のケース本体１を表す実線のケース本体１とは、図中の前後距離ΔＬだけ長くなって曳行者からは離れている。
この状態からケース本体１がさらに前方へ移動すると、図８の人物Ｂ３が曳行するケース本体１のように曳行者の右足の踵に衝突する状態となる。
これを避けるには、転輪２の接地点Ｏから握り部３０’までの距離Ｌをもっと長くすれば良いが、そうすれば前述の使用者と車輪付き鞄とが占める面積がさらに増大することになる。そして、転輪２の接地点Ｏから握り部３０’までの距離Ｌをさらに長くするために、テレスコープ構造などで伸縮自在に構成される取っ手３’は、そのテレスコープ段数が増すなどの構造の複雑化や重量増加を招く不具合がある。
尚、図８に描かれた人物Ｂ１〜Ｂ３は、取っ手３’を持つ側の手の肩部分が、後方側に少し捻られているが、これは取っ手３’を持つ側の手を身体の後方側へ移行させる際に自然に生じる動作であり、図９（ＩＩ）では右手を後方へ移行させた場合の肩部分を二点鎖線で示している。
【０００９】
〔前記［２］で示した従来技術について〕
前記[２]に記載したように、矩形箱状のケース本体１の辺長さの長い方向である幅広面が横に向く状態で曳行されるように、転輪２が奥行き辺に沿う方向の軸芯周りで転動し、取っ手も進行方向の前面側に位置する幅狭の周辺枠面に沿って設けられたものでは、次のような問題がある。
つまり、この構造では、図７に示すように、曳行姿勢で前傾した取っ手３の後方上側に、幅狭の周辺枠面の前面側を沿わせてケース本体１を乗せた状態となり、ケース本体１の左右横幅方向での寸法は比較的小さくなるので、平面的にみれば取っ手３を曳行者の横側方に位置させた状態で曳行しても左右方向の幅寸法が大きくなることを避けられる点では有利である。
しかしながら、この構造のものでは、図１０に単純化して示すように、左右方向で幅狭のケース本体１が前傾姿勢となることで、見かけ上のケースの上下高さが高くなり、左右幅に対する上下高さの比がより大きくなってケース本体１の重心Ｇの位置は、左右方向でもかなり高い不安定な状態になっている。
【００１０】
図１０では、左右転輪の接地点間隔が２０ｃｍ、傾斜姿勢での最上位置が６０ｃｍのケース本体１の前後方向視形状を単純化して矩形形状とし、実線で示す水平姿勢と、二点鎖線で示す右側への傾倒姿勢とを示している。
同図（Ｉ）では、左側の転輪２Ｌが高さ５ｃｍの凸部に乗り上げた状態を示しており、この場合、水平姿勢での重心Ｇが傾倒姿勢での重心Ｇ”に移行する間で、ケース本体１は右側の転輪２Ｒの接地点Ｏを中心として回転し、重心Ｇは前記接地点Ｏを中心とした円弧軌跡上を移行して重心Ｇ”に達する。この状態では、重心Ｇ”は右側の転輪２Ｒの接地点Ｏの鉛直線よりも左側に位置しているので、この状態のままであれば転倒は免れるが、現実には、ケース本体１は前進移動中であり、重心の移動が、ある程度の動慣性を有して行われる状態であり、かつ、重心Ｇ”が図示の状態からさらに傾倒方向へ移動する際の軌跡はケース本体１を持ち上げる方向の移動成分をほとんど有していないので、抵抗なく転倒し易い。
同図（ＩＩ）では、上記（Ｉ）と同様なケース本体１において、右側の転輪２Ｒが深さ５ｃｍの凹部に落ち込んだ状態を示している。この場合、水平姿勢での重心Ｇが傾倒姿勢での重心Ｇ”に移行するまでの間は、ケース本体１は左側の転輪２Ｌの接地点Ｏを中心として回転し、重心Ｇは前記接地点Ｏを中心とした円弧軌跡上を移行して重心Ｇ”に達する。この状態では、重心Ｇ”は凹部に落ち込んだ右側の転輪２Ｒの接地点Ｏの鉛直線ｙよりも左側に位置しているので、この状態のままであれば転倒は免れるが、現実には、ケース本体１は慣性をもって前進移動中であり、しかも凹部に落下したことで、図１０（Ｉ）に図示の場合よりもかなり大きな横転方向への動慣性を有して傾倒するものであり、かつ、図示の重心Ｇ”がさらに傾倒方向へ移動する際の軌跡はケース本体１を持ち上げる方向の移動成分をほとんど有していないので、抵抗なく転倒し易い。
【００１１】
また、前記［２］に示す構造では、上述のように、ケース本体１の左右幅に対する上下高さの比が大きいことによる左右方向への転倒し易さの外に、次の点でもケース本体１の左右方向への転倒が生じ易くなる要因がある。
つまり、この構造では、図７に示すように、矩形箱状のケース本体１の重心Ｇが転輪２の接地点Ｏの直上に位置する基準曳行姿勢では、転輪２の接地点Ｏと取っ手３の握り部３０とを結ぶ線分ｙ１に対して、ケース本体１部分の重心Ｇがかなり離れて位置し、しかも、重心Ｇの高さと、その重心Ｇから前記線分ｙ１への垂線と線分ｙ１との交点Ｇｐとの間にはかなりの落差Ｌ４がある。
このため、曳行に伴って重心Ｇが少しでも左右に揺れると、前記線分ｙ１からの離間距離Ｌ３にケース内荷物を含めての重量と前記落差Ｌ４による位置エネルギーを乗じた回転モーメントｍＧが線分ｙ１周りに作用し、路面上の僅かな凹凸部分によっても、前記線分ｙ１周りにケース本体１を回転させようとする作用力が生じて左右方向へ転倒し易くなる。
このような回転モーメントｍＧによる転倒方向への作用力を少なくするには、ケース本体１の重心Ｇが前記線分ｙ１から離れる方向の距離Ｌ３を極力短くして、重心Ｇを線分ｙ１に近づけるようにすればよいが、図８に斜線で示したように、ケース本体１の前後方向寸法を短くすることによって重心Ｇ’を線分ｙ１（図８では取っ手３’に沿う線分）に近づけた場合には、ケース内容量が大きく縮減され、ケース本来の物品収納の機能が損なわれてしまうので好ましくない。
また、曳行中に上記の回転モーメントｍＧによるケース本体１の左右方向の揺れが生じようとした場合、これを阻止するための抵抗作用は、重心Ｇからかなり遠い位置である取っ手３の握り部３０でしか与えることができない。そして、この取っ手３の長さである転輪２の接地点Ｏから握り部３０までの距離Ｌは、接地点Ｏから、曳行操作者の所定高さの握り位置に届く長さを必要とし、前記特許文献１に記載した構造のものと同様に長尺のものであるため、握り部３０から重心Ｇまでの水平距離も比較的大きくなる。したがって、握り部３０を強く把持することによる抵抗を与えるだけでは、回転モーメントｍＧが作用して転倒しかけているケース本体１の左右方向への転倒を阻止することはかなり困難である。
尚、図７に二点鎖線で記載したように、取っ手３をかなり起立させた急角度で曳行するようにすれば、重心Ｇから線分ｙ１への距離Ｌ３は縮めることはできないが、重心Ｇから線分ｙ１への垂線が水平に近くなって前記落差Ｌ４を小さくすることができる。しかしながら、このような曳行姿勢では、取っ手３でケース本体１の後方側への転倒を防ぐように押さえながら前方へ引くという、現実にはあり得ない曳行操作が必要になる。
つまり、このように起立させると矩形箱状のケース本体１の重心Ｇが転輪２の接地点Ｏよりも後方側に大きく移行し、その重心Ｇ部分で下向きに作用する重量が、転輪２の接地点Ｏ周りでケース本体１を後傾方向へ回転させようとする操作力となる。曳行操作者が取っ手３の後方移動を阻止するように前記操作力を受け止めると、その反力で転輪２を前方へ押し出す作用が生じ、さらに後傾方向に大きく傾いて曳行姿勢を維持できなくなるものであって、現実的なものではない。
【００１２】
〔前記［３］に示した従来技術について〕
前記[３]に記載したように、矩形箱状の転輪付き鞄において、曳行姿勢にあるケース本体１の水平方向断面での長径方向を前後方向に向け、曳行用の取っ手３をケース本体の周辺枠面のうちで進行方向の後面側に沿わせ、転輪２が設けられているケース本体１の角部に対する対角箇所から前方上方に延出し、前後方向に沿う取っ手３によって曳行できるようにした構造のもの（以下、便宜上、「上引き式」の取っ手を備えたものと略称する）も特許文献２で提案されている。
この構造によれば、前記［２］で示した従来構造のものに比べて、ケース本体１の最も長い対角方向の長さを、転輪の接地点Ｏから取っ手３までの長さの一部に利用できるので、その分、取っ手３（特許文献２ではハンドル部材１３）の長さを短縮できる利点がある。また、このことに加え、転輪２（特許文献２では転輪１５）の接地点Ｏと取っ手３の握り部３０（特許文献２ではハンドル３３）とを結ぶ線分に対して、ケース重心Ｇが、前記［２］に記載した構造のものに比べればかなり近接して位置することになり、前述のような左右方向への回転が生じた場合に、回転モーメントｍＧの値は割合に小さくなるので、この回転モーメントｍＧの影響によって転倒する可能性はある程度少なくなる点で優れている。
【００１３】
しかしながら、このような上引き式の取っ手３を備えた構造のものでは、主に、次の［３・１］〜［３・３］に記載の点で重大な問題がある。
［３・１］（後倒れ）
前記特許文献２に記載の構造のものとは異なるが、図１２に基づき、上引き式の取っ手３を備えた構造について、接地点Ｏを通る鉛直線ｙ上にケース本体１の重心Ｇが位置している姿勢を基準曳行姿勢（太い実線で表された状態）として説明する。
この基準曳行姿勢では、理論上は握り部３０にケース本体１の重量が作用していない状態でケースの曳行を行うことが可能となる。ただし、通常の歩行状態では、このように接地点Ｏの直上に重心Ｇが存在する状態を厳密に維持したままでケースを曳行し続けることは不可能であり、図８及び図１３（ＩＩ）に示すように歩行に伴って握り部３０の位置が上下に運動をして、取っ手３の走行路面に対する傾斜角度がかなり大きく変動する。
このときの取っ手３の傾斜角度が、前記の基準曳行姿勢から少しでも後傾がわに倒れると、図１２に示すように重心Ｇが鉛直線ｙから後方側へ外れるため、重心Ｇ箇所に作用する下向きの荷重Ｗによって、ケース本体１を後方側へ転倒させようとする後方への分力Ｆ１，Ｆ２が発生する。この後方への分力Ｆ１，Ｆ２によるケース本体の後傾を、曳行操作者が持つ取っ手３の後方への動きを受け止めることで阻止しようとすると、その受け止め反力で転輪２を前方へ押し出す作用が発生する。そして、転輪２が前方側へ動いてしまうと、ますます重心Ｇが鉛直線ｙから後方側へ外れてケース本体１はさらに後傾方向に大きく傾き出す。
図１２中における符号ｙｒ１は、転輪２の接地点Ｏと重心Ｇとを結ぶ線分が、転輪２の接地点Ｏを通る鉛直線ｙから、後方へ５度傾倒した状態の線分を示し、ｙｒ２は後方へ１０度傾倒した状態の線分を示している。
【００１４】
このようなケース本体１の後ろ倒れ現象は、上述のような歩行に伴う握り手部分の上下動の他、走行路面が僅かでも前下がりの傾斜地であると特に発生し易く、これを握り部３０の位置で止めるには、転輪２の前方への移動を止める方向の力を加えながら、重心Ｇを鉛直線ｙ上に戻すようにケース本体１を前傾させる方向への力を加えなければならない。すなわち、前記鉛直線ｙよりも後方側に重心Ｇが存在する状態で、その重心Ｇを上方へ持ち上げる方向の作用力を与えるか、前記鉛直線ｙよりも前方側に前記重心Ｇでの重量と同程度以上の押さえ作用力を与える必要がある。
ところが、ケース本体が既に基準曳行姿勢から少しでも後傾がわに倒れていると、取っ手３の握り部３０に対して直交する後方上方への引き作用力ｕｆを与えるだけでは、ケース本体１の後傾を助長する方向に力が加えられることにしかならず、逆に握り部３０に対して直交する前方下方への押し作用力ｄｆを加えると、下方への押し下げ力以上に前方への押し出し力が大きく働き、何れにしても転輪２の前方への動きを止めることができない。
すなわち、この構造のもので転輪２の前方への動きを止めるには、単なる押し引きではなく、図１２に示すように、前記握り部３０において、握り部３０の上方側では図示ｆ方向に力を加えながら、握り部３０の下方において図示ｒ方向への力を同時的に加えるというように、手首の捻りで上下逆向きの偶力が働くように力を加える必要がある。しかも、この力は、倍力とは逆に増幅作用で働かせることになるから、非常に大きな操作力が必要であり、一旦動き始めた転輪２の前方への動きを、このような手首の捻り力だけで止めることは、よほど腕力に優れた者でない限り不可能であり、実用的な構造のものとは云えない。
【００１５】
［３・２］
このため、前記上引き式の構造のものでは、特許文献２でも示されているように、歩行に伴って生じる握り手部分の上下運動等によって、ケース本体１の重心Ｇが前記転輪２の接地点Ｏを通る鉛直線ｙを越えて後方側へ移動することがないように、ケース本体１の前傾度合いを予め十分に大きく（特許文献２の図１では本発明でいう基準曳行姿勢よりも約２０度前傾している）前倒れさせて曳行するように取っ手３の位置を設定していた。
すなわち、例えばケース本体１を図１３（ＩＩ）の太い実線で示す基準姿勢に位置させた状態から、曳行操作者の握り手の位置（握り部中心Ｍ）が、歩行にともなって約８０ｃｍの高さから７０ｃｍの間で上下位置変化すると仮定すると、ケース本体１の傾斜角度は、約５３度から３２．５度と２０．５度も変化する。この上下変化には個人差があるので、上下変動がもっと少ない、たとえば８０ｃｍ〜７５ｃｍと、僅か５ｃｍ程度しか変化しない場合を仮定してみても、約５３度から４０．５度と１２．５度も変化する。
これは、前記特許文献１で示したようにケース本体１の前向きの面に沿わせて取っ手３を設けたもの（以下、便宜上「下引き式」の取っ手を備えたものと略称する）では、同様の条件（基準曳行姿勢）で同図（Ｉ）に示すように、握り部３０の高さが１０ｃｍ程度変化した場合のケース本体１の角度変化が、約５３度から４４度と、半分以下の９度程度でしかないということと比べて顕著な変化であり、このような上引き式の構造のものにおける大きな角度変化は、転輪２の接地点Ｏから握り部３０までの距離が極端に短くなっていることに起因する。
その上、曳行操作者の体格によっても握り手の高さに個人差があることと、走行路面が傾斜したり、凹凸が存在したりすることによっても、ケース本体１の傾斜角度は不測に変動することがある。したがって、そのように傾斜角度が不測に変動しても、その重心Ｇが前記鉛直線ｙを越えて後方側へ移行しないだけの余裕を持たせてケース本体１の曳行時の角度を設定しなければならず、そのために上引き式のものにおいては、前述したような２０度程度の前傾というのは寧ろ最低条件に相当し、より確実性を増すにはさらに大きく傾斜させる必要がある。
【００１６】
前記特許文献２に記載されている構造と同様に大きく前傾させたケースを単純化して図示すると、図１２に太い二点鎖線を用いた仮想線で示すとおりである。
このようにケース本体１に十分な余裕を持たせた前傾姿勢で曳行することにより、上引き式の構造のものにおいても、重心Ｇが鉛直線ｙを越えて後傾するような不都合を避けられるようにすることも可能であるが、その反面、このように大きく前傾させた姿勢で曳行すると、取っ手３を把持する曳行操作者に対するケース重量の負担割合がかなり大きくなり、軽快な曳行が望めないという新たな問題がある。
つまり、図１２に太い二点鎖線を用いた仮想線で図示した構造に基づいて説明すると、転輪の接地点Ｏから重心Ｇ’までの水平距離Ｌｗが１０ｃｍ、接地点Ｏから取っ手３’の握り部３０’までの水平距離Ｌｍが４８ｃｍであるとし、重心Ｇ’の位置で下向きに作用する荷重ｗが１０ｋｇとした場合、取っ手３’の握り部３０’に作用する重量は、便宜上水平方向の距離の比で考えると約２．１ｋｇとなり、かなりの重さを曳行操作者が負担する必要が生じる。前記重心Ｇ’に作用する重量が２０ｋｇなら、握り部３０’に作用する重量も倍の約４．２ｋｇにもなり、長時間の曳行には多大な労力を要することになる。このため、転輪付きの鞄の特質である鞄内容物の重量があまり握り部に作用しないという大きな利点の一つが損なわれてしまう、という欠陥がある。
尚、図１２に太い二点鎖線で図示した構造のものにおいて、接地点Ｏから前記取っ手の握り部３０の中心まで距離Ｌは、同図中に太実線で記載したものよりも接地点Ｏから握り部３０’までの長さを長くした状態で図示しているが、これは、基準曳行姿勢よりも２０度程度の前傾姿勢とした場合には、握り部３０’の高さが低くなりすぎるので、握り部３０’の高さが所定高さに達する程度に取っ手３’の長さを延長しなければならないためである。
【００１７】
このように取っ手３’の長さを延長すると、折角、ケース本体１’を曳行操作者の身体の横側部に位置させても前後長さがかなり長くなってしまい、前後方向寸法を短縮するという目的を充分には達成することができない。その上、握り部３０’と接地点Ｏとの距離が遠くなることで、握り部３０’と接地点Ｏとを結ぶ線分ｙ１’もかなり傾倒するので、ケース本体１’の重心Ｇ’から前記線分ｙ１’への垂線との交点Ｇｐと、前記重心Ｇ’との落差Ｌ４も前記線分ｙ１’が傾倒して水平に近づくほど大きくなり、上引き式の構造でありながらケース本体１’が転倒する可能性を充分に低減できなくなってしまう。
したがって上引き式の構造のものでは、ケース本体１の進行方向の前向き面に沿って取っ手３を設けた下引き式の構造のものに比べては、接地点Ｏから握り部３０までの距離を短くして曳行することができるという優れた点を有したものでありながら、その反面、諸々の条件から上述のような不具合点も抱えていて、実用上の扱い難さがある。
このように、特許文献２に示す構造のものでも、その公報図面の図１に示される上引き式の転輪付き鞄専用の構造としてではなく、その上引き式構造としての使用形態に加えて、同公報図面の図２に示されるように、取っ手をさらに引き出した４輪接地式に切り換えて使用するなど、曳行形態の多様化の一例として示されている。つまり、重量バランスを考えると長い距離の曳行には不向きなものでありながら、この転輪付き鞄を上引き式の使用形態で用いるのは、走行路面が登りや下りの坂道で、４輪接地状態では移動させにくい場合や、段差部や溝などの障害物を越える際に一時的に持ち上げて比較的短時間の曳行を行うことを考慮したものと考えられる。
【００１８】
［３・３］
また、前記特許文献２に示されている上引き式の構造のものは、ケース本体を前傾姿勢に傾けて曳行操作者の身体の横側部に位置させた状態での曳行を行うことを考えた数少ない事例のものであるが、取っ手を身体の側脇で握る場合において、その取っ手のケース本体に対する左右方向での位置関係に関する工夫は全く成されていない。
ところが、この取っ手の左右方向での位置についての構成は、曳行操作者が身体の後に手を回して、後手でケース本体を引っ張るところの特許文献１に記載のような構造では無視できても、特許文献２に記載のようにケース本体を曳行操作者の横側脇で曳行する構造のものでは、実用性を考えると看過すべきではない重要な要素の一つとなる。
つまり、図９に基づいて説明すると、自然に身体の側脇に垂らした手の中心線Ｐｈと身体の側辺との間には、通常、握り拳１個分程度の間隔が存在しているが、この自然に手を垂らした状態のままではなく、体幹から横方向へ離れる方向への手の動き（上肢の外転）は、主に、三角筋の収縮運動に基づく肩周りの筋肉の引っ張り作用で行われ、補助的に上肢の上腕３等筋や肩の僧帽筋が収縮作用する場合もある。
このため、体幹から横方向へ離した状態で握り部３０部分に重い荷物の重量が作用すると、僅かな角度の動きでも、三角筋等が収縮作用を長時間にわたって連続的して維持するように指令されるため、この三角筋等の肩周りの筋肉に疲労が蓄積することになる。
【００１９】
通常、体側に沿って自然に手を垂らした状態では、三角筋には収縮作用が働かず、弛緩状態の筋繊維自体の強度で上肢を吊り持ちしているものであり、この状態で多少の荷重を掛けても、前記三角筋等の肩周りの筋肉や上肢の骨格筋の筋繊維自体の強度で耐えることができ、筋肉の収縮作用を伴わずに吊り下げ支持することができるので、これらの筋肉の疲労は少なくて済む。しかしながら、僅かな角度とは云え、上肢を外転させて体幹から横方向へ離れるように移動させた状態を維持するには、前述した筋肉の収縮運動を必要とするため、筋肉疲労を避けることはできない。
図９（Ｉ）に基づいて一例をみると、ケース本体１の横端部から握り部３０の中心までの距離が１２．５ｃｍである場合、肩の外転角度は次のようになる。
すなわち、図９（Ｉ）では、取っ手３を把持する人物の右手の肩関節ｓから手首関節ｈ１にわたってその中心を結ぶ線分をを右手の中心線Ｐｈとし、この中心線Ｐｈ（握り部３０の中心と一致する）からケース本体１の横端部までの距離Ｌ２を７．５ｃｍに設定したものを実線で図示している。
この実線で図示の状態では、上腕及び前腕が一直線に連なって肩関節ｓから垂下されている状態であり、上腕および前腕の何れにも筋肉の緊張を要することなく握り部３０を把持した状態が維持されている。
この姿勢から、ケース本体１の横端部からの距離が１２．５ｃｍである握り部３０を把持するには、右手の手首関節ｈ１の位置が、もとの位置から５ｃｍ遠ざかった手首関節ｈ２の位置となり、肩関節ｓと手首関節ｈ２とを結ぶ線分の傾斜角度α１は、もとの右手の中心線Ｐｈに対して約６度外側へ振り出された状態となる。この状態を維持するためには、握り部３０に作用する荷重に、肩関節ｓから手首関節ｈ２に至る上肢の長さＬｈを乗じたモーメントに相当する操作力を得るように、長時間にわたって三角筋の緊張を要することになる。
また、手首関節ｈ２の水平方向位置は同じでも、肘関節の位置を、符号ｅ１で示すように前記肩関節ｓから手首関節ｈ２に至る直線上に位置させるのではなく、符号ｅ２で示すように、肘関節ｅ２から下側の手首関節ｈ２に至る前腕を垂下状態にして握り部３０を把持すると、肩関節ｓと肘関節ｅ２とを結ぶ線分の傾斜角度α２は、もとの右手の中心線Ｐｈに対して約１１度外側へ振り出された状態となる。この状態を維持するためには、握り部３０に作用する荷重に、肩関節ｓから肘関節ｅ２に至る上腕の長さＬｅを乗じたモーメントに相当する操作力を得るように、長時間にわたって三角筋の緊張を要することになる。
このように、ケース本体１の横端部から握り部３０の中心までの距離が大きいと、握り部３０を身体から離すように腕を持ち上げながら、その腕に重い鞄の重量が作用するという、きわめて疲労し易い使用形態となって望ましくない。
【００２０】
本発明は、荷重を支持する転輪と曳行用の取っ手とを備えた旅行鞄やビジネス用の鞄など、ケースを自立させてではなく、傾けて引っぱりながら運搬する型式の転輪付き鞄において、転輪付き鞄を身体の横側部に位置させて曳行者を含めての前後左右の占有面積を少なくした状態で、軽快に曳行できるようにするとともに、そのように身体の横側部にケースを位置させて曳行する際の操作性を高めることを目的とする。
【課題を解決するための手段】
【００２１】
〔解決手段１〕
上記目的を達成するための解決手段の１つは、ケース本体に曳行用の取っ手と転輪とを備えた転輪付き鞄において、
前傾姿勢としたケース本体の水平方向断面での長径方向が前後方向に沿う姿勢で曳行されるように、前記転輪を、ケース本体の前記長径方向に交差する短径方向に沿う横軸芯まわりで回動するように設定して前記ケース本体の底部側の前部に設け、
曳行されるケース本体に対する側面視で、前記転輪の接地点と取っ手の握り部とを結ぶ線分が、前記ケース本体の前傾姿勢の前縁と、前記転輪の接地点とケース本体の重心相当箇所とを結ぶ線分とで構成される角度範囲内に位置するように、前記取っ手の位置を設定し、
前記取っ手の握り部を、その長手方向が曳行方向の前後に向き、かつ前記ケース本体における重心相当箇所が転輪の接地点を通る鉛直線上に位置する基準曳行姿勢で、前記ケース本体の前傾姿勢の前縁の傾斜角度よりも水平に近くなるように設定してあることである。
【００２２】
このような構成を採用したことによる作用は次のとおりである。
〔１〕
すなわち、ケース本体の水平方向断面での長径方向が前後方向に沿う姿勢で曳行されるように、ケース本体に対する転輪の回動方向と取っ手の配設位置とを設定して、左右方向ではケースの短径方向を左右方向に沿わせ、前後方向ではケース本体を曳行者の横脇に位置させて前後長さを短縮することによって、曳行者を含めての前後左右の占有面積少なく曳行できるようにしている。
〔２〕
そして、取っ手の位置を、曳行されるケース本体に対する側面視で、転輪の接地点と取っ手の握り部とを結ぶ線分が、ケース本体の前傾姿勢の前縁と、転輪の接地点とケース本体の重心相当箇所とを結ぶ線分とで構成される角度範囲内という、前記転輪の接地点と取っ手の握り部とを結ぶ線分がケース本体の重心に近づいて位置するように設定している。その結果、転輪の接地点と取っ手の握り部とを結ぶ線分の周りで重心が左右に揺れた場合における回転モーメントの大きさ自体を低減するとともに、ケース本体の左右傾動角度に対する重心の左右移動量の割合も比較的小さくでき、ケース本体の左右方向への転倒の可能性を少なくできるようにしてある。
〔３〕
また、取っ手の握り部は、その握り部が曳行方向の前後に向くように設定されている。したがって、身体の横側へ自然に垂らした手の掌が身体の内側に向く状態から掌を握るという自然な動作で、そのまま把持して曳行することができる。
つまり、握り部が曳行方向に対して左右方向に沿うものであると、取っ手を握るための掌を曳行方向での前向きにしたり後ろ向きにするために、上腕に対して前腕が捻られる状態となるが、本発明のものではこのような必要がなく、身体の横側に自然に垂らした手で握り部を楽な状態で把持して操作性良く曳行することができる。
〔４〕
さらに、曳行状態で前後方向に向く握り部３０が図１１（Ｉ）に示すように水平姿勢に近く設定されているので、図１１（ＩＩ）に示すように、握り部３０が水平に対して大きな角度を持って前傾したものに比べて、親指側を無理に前腕の撓骨側に近づけるように、掌の中心部における中支骨の長手方向に沿う線が、前腕の長手方向に対して大きく屈折した状態となることも避けられる。したがって、前述のように掌を身体の内側へ向けた自然な姿勢であることとの相乗により、楽な握り状態を維持して、楽な姿勢で曳行することができる。
〔５〕
そして特に本発明によるもっとも特徴的な技術手段は、取っ手３の握り部３０が、ただ単に前後方向に向き、かつ無条件に水平に近く設定されているのではなく、ケース本体１における重心相当箇所が転輪の接地点を通る鉛直線上に位置するという、基準曳行姿勢であることの条件のもとに、握り部３０がケース本体１の前傾姿勢の前縁の傾斜角度よりも水平に近く設定されている点である。
したがって、図３及び図１４に示すように、基準曳行姿勢にあるケース本体１が、曳行操作者の歩行に伴ってある程度前傾もしくは後傾して、ケース本体の重心Ｇが接地点Ｏをとおる鉛直線ｙの前後に多少移動しても、前記握り部３０では、確実に重心Ｇの移動方向とは逆方向の押し下げまたは引き上げ操作力を随時付与することが簡単にでき、重心Ｇの移動による転輪２の前方移動を抑制することができる。
しかも、ケース本体１を常に基準曳行姿勢に近い姿勢に維持して曳行することができるものであるから、握り部３０部分には、歩行に伴う握り部３０の上下動に起因したケース本体の姿勢変化による重心移動分の僅かな荷重が作用するのみであり、前述した特許文献２に示されている構造のもののように、予め大きく前傾させた姿勢で曳行する構造のものに比べ、曳行時の操作者にかかる負担重量を顕著に軽減することができる。
【００２３】
〔解決手段２〕
上記目的を達成するための第２の解決手段としては、ケース本体に曳行用の取っ手と転輪とを備えた転輪付き鞄において、
前傾姿勢としたケース本体の水平方向断面での長径方向が前後方向に沿う姿勢で曳行されるように、前記転輪を、ケース本体の前記長径方向に交差する短径方向に沿う横軸芯まわりで回動するように設定して前記ケース本体の底部側の前部に設け、
曳行されるケース本体に対する側面視で、前記転輪の接地点と取っ手の握り部とを結ぶ線分が、前記ケース本体の前傾姿勢の前縁と、前記転輪の接地点とケース本体の重心相当箇所とを結ぶ線分とで構成される角度範囲内に位置するように、前記取っ手の位置を設定し、
前記取っ手の握り部を、その長手方向が曳行方向の前後に向き、かつ前記ケース本体における重心相当箇所が転輪の接地点を通る鉛直線上に位置する基準曳行姿勢で、前記ケース本体の前傾姿勢の前縁の傾斜角度よりも水平に近くなるように設定するとともに、
ケース本体の前記曳行操作者に近い側の端部から左右方向における握り部までの距離を、歩行姿勢の曳行操作者が自然に垂らした手による握り位置と曳行操作者のケース本体に近い身体側部との間の左右方向距離と同程度以下になるように設定してあることである。
【００２４】
第２の解決手段を採用したことにより、前記第１の解決手段による場合と同様の作用に加えて、次の作用を奏する。
すなわち、ケース本体の短径方向で曳行操作者に近い側の端部から握り部までの距離が、歩行姿勢の曳行操作者が自然に垂らした手による握り位置と曳行操作者のケース本体に近い身体側部との間の左右方向距離と同程度以下に設定されているので、鞄を横脇に位置させた状態で曳行する際に、自然に身体の横側に垂らした手で、楽な姿勢で曳行することができる。
つまり、図９（Ｉ）に示すように、自然に身体の側脇に垂らした手の中心線と身体の側辺との間には、通常、握り拳１個分程度の間隔が存在しているが、上記のように、ケース本体１の短径方向で曳行操作者に近い側の端部から握り部３０までの距離が、歩行姿勢の曳行操作者が自然に垂らした手による握り位置と曳行操作者のケース本体１に近い身体側部との間の左右方向距離と同程度以下に設定されていることで、そのケースにおける取っ手３の握り部３０を、体幹から身体の横方向へ離れる方向の手の動き（上肢の外転）を要さずに、曳行操作者が自然に身体の側脇に垂らした手で把持することができる。
【００２５】
〔解決手段３〕
上記目的を達成するための第３の解決手段としては、ケース本体に曳行用の取っ手と転輪とを備えた転輪付き鞄において、
前傾姿勢としたケース本体の水平方向断面での長径方向が前後方向に沿う姿勢で曳行されるように、前記転輪を、ケース本体の前記長径方向に交差する短径方向に沿う横軸芯まわりで回動するように設定して前記ケース本体の底部側の前部に設け、
曳行されるケース本体に対する側面視で、前記転輪の接地点と取っ手の握り部とを結ぶ線分が、前記ケース本体の前傾姿勢の前縁と、前記転輪の接地点とケース本体の重心相当箇所とを結ぶ線分とで構成される角度範囲内に位置するように、ケース本体に対する前記取っ手の位置を設定し、
かつ、この取っ手は、前記ケース本体における重心相当箇所が転輪の接地点を通る鉛直線上に位置する基準曳行姿勢で、前記転輪の接地点と基準曳行姿勢における取っ手の握り部とを結ぶ線分の周りにケース本体が旋回して、基準曳行姿勢では前記鉛直線よりも後方側に位置していたケース本体の部分が前記線分よりも前方側に位置するように向きを変えても、ケース本体の底縁が水平よりも上向きであるように、前記基準曳行姿勢における前記転輪の接地点と曳行姿勢における取っ手の握り部とを結ぶ線分の角度を設定して配設してあり、
さらに前記取っ手の握り部を、その長手方向が曳行方向の前後に向き、かつ前記ケース本体における重心相当箇所が転輪の接地点を通る鉛直線上に位置する基準曳行姿勢で、前記ケース本体の前傾姿勢の前縁の傾斜角度よりも水平に近くなるように設定したことである。
【００２６】
上記第３の解決手段を採用したことにより、前記第１の解決手段による場合と同様の作用に加えて、次の作用を奏する。
すなわち、ケース本体の左右一方の転輪が凸部に乗り上げたり、凹部に落ち込んだりしてケース本体を左右方向へ傾ける外力が作用したとき、上記のように転輪の接地点と取っ手の握り部とを結ぶ線分の位置が設定されていることにより、ケース本体が傾倒する際の回動中心となる前記転輪の接地点と取っ手の握り部とを結ぶ線分と、ケース本体の重心との距離が比較的短く、かつ上下の落差も少ないので、ケース本体を転倒させる方向での回転モーメント自体をきわめて小さく押さえることができる。
その上、基準曳行姿勢で転輪の接地点をとおる鉛直線よりも後方側に位置していたケース本体の部分が、転輪の接地点と取っ手の握り部とを結ぶ線分よりも前方側に位置するように向きを変えても、ケース本体の底縁が水平よりも上向きであるように、前記転輪の接地点と取っ手の握り部とを結ぶ線分を、基準曳行姿勢で前記転輪の接地点を通る鉛直線との角度差が少ない上下方向の起立した線分として設定している。このため、ケース本体を左右に傾ける方向の外力が作用したとしても、その外力はケース本体を前記転輪の接地点と取っ手の握り部とを結ぶ線分周りに旋回する方向の作用となり、ケース本体を転倒させることにはならない。
【００２７】
〔解決手段４〕
上記目的を達成するための第４の解決手段としては、請求項１、２、または３記載の転輪付き鞄において、曳行時に前傾姿勢となるケース本体の前縁に対向する部位の後縁と、ケース本体の上縁との交差角が鈍角となるようにケース本体の外郭形状を設定し、そのケース本体の鈍角の角部における外郭形状に沿って、伸縮杆部分と握り部との交差角を鈍角に設定した取っ手を設けてあることである。
【００２８】
第４の解決手段を採用したことにより、解決手段１、２、または３にかかる発明と同様な作用に加えて、次の作用を奏する。
すなわち、ケース本体の鈍角の角部における外郭形状を利用して、伸縮杆部分と握り部との交差角を鈍角に設定した取っ手を設けてあるので、この取っ手の鈍角である交差角を利用して、ケース前縁の傾斜よりも水平に近い握り部を、取っ手の屈伸構造を要さずに構成することができる。
【００２９】
〔解決手段５〕
上記目的を達成するための第５の解決手段としては、請求項１、２、または３記載の転輪付き鞄において、曳行時に前傾姿勢となるケース本体の前縁に対向する部位の後縁と、ケース本体の上縁との交差角が鈍角となるようにケース本体の外郭形状を設定し、そのケース本体の上縁部に軟質の取っ手を設けてあることである。
【００３０】
第５の解決手段５によると、解決手段１、２、または３にかかる発明と同様な作用に加えて、次の作用を奏する。
すなわち、ケース本体の鈍角である外郭縁形状を取っ手形状の構成要素として利用することにより、軟質の帯紐状の材料を用いてケース前縁の傾斜よりも水平に近い握り部を取っ手に設けることができる。
【００３１】
〔解決手段６〕
上記目的を達成するための第６の解決手段としては、ケース本体に、曳行用の取っ手と転輪とを備えた転輪付き鞄において、
前傾姿勢としたケース本体の水平方向断面での長径方向が前後方向に沿う姿勢で曳行されるように、前記ケース本体の前記長径方向に沿って回動する向きに回動軸芯を設定した転輪を、前記ケース本体の下部に設けた支脚に装着し、
この支脚を、前記ケース本体の下部から下方に延出された起立姿勢と、その起立姿勢位置よりもケース本体側に引退させた格納姿勢とに姿勢切り換え可能に構成してあり、
前記取っ手を、前記ケース本体の下部で前記支脚を設けた部位に相対向するケース上部近くに、その長手方向が曳行方向の前後に向く状態で設け、
前記ケース本体の側面視における外郭形状の重心相当箇所が、側面視で前記取っ手の握り部の下方で、前記接地点の直上に位置する基準曳行姿勢において、歩行姿勢の曳行操作者が自然に垂らした手による握り位置と同程度の高さ位置に曳行姿勢の取っ手の握り部が位置するように、転輪の接地点から取っ手の握り部までの距離を設定可能に構成してあるとともに、
前記取っ手の握り部を、前記ケース本体における重心相当箇所が転輪の接地点を通る鉛直線上に位置する基準曳行姿勢で、前記ケース本体の前傾姿勢の前縁の傾斜角度よりも水平に近くなるように設定してある。
【００３２】
第６の解決手段によると、解決手段１にかかる発明と同様な作用に加えて、次の作用を奏する。
すなわち、基本的には提げ手を用いて吊り持ち状態に支持していた小型の鞄を、転輪付きの支脚を用いて下方から支えるように補助するので、通常の手提げ状態と同様な感覚で楽に支持することができる。
このような小型の転輪付き鞄であるが故に、混雑した場所で使用される機会も多く、持ち運びに邪魔にならないことが望まれるが、支脚が存在していることで、ケース本体を高い位置に保持することができるので、このような支脚を備えずにケース本体の下部に直接に転輪を備えた構造のものに比較して、支脚の高さだけケース本体の高さ位置を高く維持して曳行することができる。
このため、使用状態でのケース本体の高さ位置が、身体の側部で普通の手提げ鞄を吊り下げ支持するのと大差のない状態で保持できることから、地面近くに位置させて曳行する型式のものに比べて、他物との接触を避け易く、また、雨の日に傘で歩くときなどにケース本体に雨が直接に降りかかる度合いが少ない。
さらに、取っ手で吊り持ちした状態にケース本体を保持して、その状態で下向きに作用する荷重を支脚や転輪を介して支持する形態での曳行を行う構造であるから、手を離さない限りケース本体が転倒する虞はなく、また、支脚としてケース本体の自立を図る必要がないので、一本足の支脚など、簡易で軽量な支脚を用いることも可能である。
【発明の効果】
【００３３】
〔解決手段１にかかる発明の効果〕
曳行者は、上肢を自然に身体の横側に垂らした状態に近い姿勢で握り部を楽に把持しながら、ケース本体の重心を転輪の接地点の直上近くに位置させた状態、すなわちケース重量を最大限低減した状態での曳行を、ケース本体の重心が接地点の直上を越えて後方移動することによるケース姿勢の後傾を避けた状態で、しかも曳行姿勢の握り手にケース本体重量の多くが作用し難い状態で、かつ、ケース本体の左右傾倒が生じにくい状態での曳行が可能となったものである。
これによって、ケースを曳行者の横脇に位置させて前後左右の占有面積少なく曳行でき、しかも、前後に比べて左右方向幅の狭いケース本体の収納容積は十分に確保しながら、左右方向での重心移動による傾倒を回避し易くするとともに、ケース本体の前後方向での重心移動に伴うケースの後傾や、握り部に多大なケース重量が作用した状態となることを避けて、軽快に曳行することができる実用的な転輪付き鞄を得られたものである。
【００３４】
〔解決手段２にかかる発明の効果〕
握り部を握る操作者には、上肢を外転（体幹から横方向へ移行させる運動）させるために三角筋等の肩周りの筋肉の収縮運動を長時間にわたって継続しながら吊り下げ支持する操作が必要でなく、三角筋には外転のための収縮作用を働かせずに弛緩状態のままで、筋繊維自体の強度によって上肢と、握り部に作用する荷重とを吊り持ち支持することが可能になるので、前述のように僅かな角度とは云え上肢を外転して横方向へ移行させた状態で曳行操作するような場合に比べて、長時間の曳行操作による筋肉疲労を顕著に軽減することができる利点がある。
【００３５】
〔解決手段３にかかる発明の効果〕
第３の解決手段を採用したことにより、前記第１の解決手段による場合と同様の効果に加えて、次の効果を奏する。
すなわち、ケース本体の左右一方の転輪が凸部に乗り上げたり、凹部に落ち込んだりしてケース本体を左右方向へ傾ける外力が作用したとき、ケース本体が傾倒する際の回動中心となる前記転輪の接地点と取っ手の握り部とを結ぶ線分と、ケース本体の重心との距離が比較的短く、かつ上下の落差も少ないように転輪の接地点と取っ手の握り部とを結ぶ線分の位置が設定されていることにより、ケース本体を転倒させる方向での回転モーメント自体をきわめて小さく押さえることができる。
その上、基準曳行姿勢で転輪の接地点をとおる鉛直線よりも後方側に位置していたケース本体の部分が、転輪の接地点と取っ手の握り部とを結ぶ線分よりも前方側に位置するように向きを変えても、ケース本体の底縁が水平よりも上向きであるように、前記転輪の接地点と取っ手の握り部とを結ぶ線分を、基準曳行姿勢で前記転輪の接地点を通る鉛直線との角度差が少ない上下方向の起立した線分として設定している。このため、ケース本体を左右に傾ける方向の外力が作用したとしても、その外力はケース本体を前記転輪の接地点と取っ手の握り部とを結ぶ線分周りに旋回する方向の作用となり、ケース本体を転倒させることにはならないので、鞄を横脇に位置させた状態で曳行する際に、ケース本体の転倒の可能性を極力低減することができる。
【００３６】
〔解決手段４にかかる発明の効果〕
解決手段４によると、解決手段１、２、または３にかかる発明と同様な効果に加えて、次の効果を奏する。
取っ手としては、ケース本体の一側辺に沿って単に伸縮するだけで、揺動による姿勢変更構造を備えるなどの必要がない従来構造のものと同程度の簡素な構成を採用できるものでありながら、ケース本体の外郭縁形状を工夫することとの相乗作用で、握り部の位置及び方向を、前述のように曳行操作者の横脇で操作するに好適な所期の状態に設定して設けることができ、かつ、格納姿勢ではケース本体の外郭縁形状に沿ってコンパクトに格納することができる。
【００３７】
〔解決手段５にかかる発明の効果〕
解決手段５によると、解決手段１、２、または３にかかる発明と同様な効果に加えて、次の効果を奏する。
取っ手としては、ケース本体の一側辺に沿って単に帯紐状のものを前後方向に沿って設けるだけでよく、ケースサイズとして握りに近く高さ設定できる程度の大きさが必要であるという制約を伴うものではあるが、取っ手の構造をより一層簡素に、かつ軽量化することができる利点がある。
【００３８】
〔解決手段６にかかる発明の効果〕
解決手段６によると、解決手段１にかかる発明と同様な効果に加えて、次の効果を奏する。
すなわち、基本的には提げ手を用いて吊り持ち状態に支持していた小型の鞄を、転輪付きの支脚を用いて下方から支えるように補助するので、通常の手提げ状態と同様な感覚で楽に支持することができる。
このような小型の転輪付き鞄であるが故に、混雑した場所で使用される機会も多く、持ち運びに邪魔にならないことが望まれるが、使用状態でのケース本体の高さ位置が、身体の側部で普通の手提げ鞄を吊り下げ支持するのと大差のない状態で保持できることから、他物との接触を避け易く便利に用いることができる。
また、支脚が存在していることで、ケース本体を高い位置に保持することができるので、このような支脚を備えずにケース本体の下部に直接に転輪を備えた構造のものに比較して、雨の日に傘で歩くときなどにケース本体に雨が直接に降りかかる度合いが少なく、ケース本体は濡れにくいという利点もある。
さらに、支脚自体も自立のためではなく、ケースの重量を補助的に支えるだけのものであるから、簡易で軽量な構造を採用し易い利点がある。
【発明を実施するための最良の形態】
【００３９】
本発明の実施の形態を添付図面に基づいて説明する。
〔全体の構造〕
本発明の転輪付き鞄は、矩形箱状のケース本体１と、ケース本体１の下部に設けた転輪２と、ケース本体１の上部側でケース本体を曳行するための取っ手３とで構成されている。
ケース本体１は、図１〜図３示すように、矩形箱状を成すケース本体１の６面のうち、進行方向で左右両側に位置する横向きの２面が、辺長さの大きい縦辺ａと横辺ｂとにより、６面のうちで最も面積の広い方形状の横向き面１Ａを構成している。
残りの４面は、前記左右両側の横向き面１Ａ同士の対向間隔幅に相当する左右幅を有した周辺枠面１Ｂによって構成されており、この周辺枠面１Ｂの前記左右幅が、前記縦辺ａ及び横辺ｂに対して垂直な方向で、その縦辺ａ及び横辺ｂよりも短い寸法の奥行き辺ｃとなる。そして、この周辺枠面１Ｂは、前傾させた曳行姿勢で進行方向の前方側に向く前向き面ｃ１と、その上端側に連なって上方に向く上向き面ｃ２と、その後方側に連なって進行方向の後方斜め上方に向く状態となる後向き面ｃ３と、その後向き面ｃ３と前記前向き面ｃ１とに連なる状態で下向きとなる下向き面ｃ４とからループ状に形成されている。
このようにケース本体１は、左右の幅広の横向き面１Ａと、その周部に位置する周辺枠面１Ｂとで全体が矩形箱状に構成されている。
このように、周辺枠面１Ｂ部分の左右幅に相当する奥行き辺ｃの寸法が、左右両側の横向き面１Ａの縦辺ａ及び横辺ｂよりも短く形成されているので、転輪付き鞄を曳行する際に前傾姿勢とされるケース本体１は、その水平方向断面での長径方向が前後方向に沿う姿勢となり、この状態で曳行されるように転輪２及び取っ手３が後述するように設けられている。
【００４０】
〔ケース本体〕
ケース本体１は、ケース壁１０の全体がほぼ矩形箱状の合成樹脂材で構成されているとともに、前記周辺枠面１Ｂ部分を構成するループ状の周辺ケース壁１１では、その周辺ケース壁１１が容易に変形しない程度の保形強度を有したものであり、具体的には周辺ケース壁１１自体が容易に変形しない程度の強度を有した硬質の合成樹脂材で構成されているものが望ましい。あるいは、図示しないが、その周辺ケース壁１１自体は硬質のものでなくとも、その内部に壁面に沿うループ状の金属製等の補強材（図示せず）を備えて補強された構造とすることによって容易に変形しないように構成されているものであってもよい。
前記周辺枠面１Ｂ部分の左右両側に位置する横向き面１Ａ部分を構成する横側ケース壁１２では、その下方側の一部が周辺枠面１Ｂ部分と一体化されて固定ケース壁部分１２ａを構成しており、横向き面１Ａの残部が開閉自在な可動ケース壁部分１２ｂを構成している。
【００４１】
前記可動ケース壁部分１２ｂは、図２（Ｉ）及び（ＩＩ）に示されるように、その下端側の直線状の一端縁部分が、前記固定ケース壁部分１２ａの上側端縁に対して、横向き面１Ａの面内における揺動支点線ＰＬ周りで揺動自在に連結されている。そして、可動ケース壁部分１２ｂの前記固定ケース壁部分１２ａに連結されていない残りの３辺の端縁部分は、前記周辺枠面１Ｂ部分の上向き面ｃ２、後ろ向き面ｃ３と、下向き面ｃ４とにわたってスライドファスナー１３を介して開閉自在に連結してある。
これによって前記揺動支点線ＰＬと、前記３面に沿うスライドファスナー１３とによって形成されるほぼ矩形の開口面が、ケース本体１の内部空間に対して左右両側から物品を出し入れ可能な開口部を形成している。
【００４２】
そして、前記開口面は、前記横向き面１Ａに平行であるように前記周辺枠面１Ｂに形成される通常の開口面ではなく、矩形箱状のケース本体１の前記横向き面１Ａと前記周辺枠面１Ｂの後ろ向き面部分とで構成される角部を斜めに横断した状態（図１〜３参照）に形成されることになる。
このように横断面がケース壁に対して斜めになる箇所にスライドファスナー１３の左右一対のファスナーエレメント１４（務歯）を対向させて設けると、横断面箇所で対向して噛合する一方側のファスナーエレメントと他方側のファスナーエレメントとで、夫々のファスナーエレメント１４の付設長さが異なってくる。このため、スライダー１５がこじれて開閉し難くなる虞があるが、本発明では、前記周辺枠面１Ｂの前記後ろ向き面におけるファスナー付設箇所と前記横向き面１Ａのファスナー付設箇所とに、夫々Ｖ字状の溝部１６を設けて、前記揺動支点線ＰＬと前記スライドファスナー１３付設箇所とで形成される開口面に対してほぼ直交する面が形成されるように構成している。このように開口面に対してほぼ直交する面に左右一対のファスナーエレメント１５，１４を対向させて設けることにより、各ファスナーエレメント１４の付設長さをほぼ等しくすることができ、スムーズなスライダー１５の移動による開閉操作を可能にすることができる。
このケース本体１の周辺枠面１Ｂの前記上向き面部分、及び下向き面部分に形成されるスライドファスナー１３は、互いにほぼ平行な面に設けられるものであるから、前記後ろ向き面部分と同様なＶ字状の溝は形成されていない。このケース本体１の一例を実寸で示すと、縦辺ａの長さＬａは、４８ｃｍ、横辺ｂの長さＬｂは３６ｃｍ、奥行き辺ｃの長さＬｃは２２ｃｍに構成されている。
尚、上記のように、前記横向き面１Ａの下方側における一部を固定ケース壁部分１２ａとしているのは、このケース本体１の最も短い辺である奥行き辺ｃの幅一杯に転輪２を設け易くして、曳行時におけるケース本体１の左右傾動の影響を少なくするためである。
【００４３】
〔転輪の構造〕
前記図２及び３に示す転輪２は、ケース本体１の前記長径方向に交差する短径方向に沿う横軸芯まわりで回動するように設定して前記ケース本体１底部側の前部に設けてあり、ケース本体１の左右両側における横向き面１Ａの前記固定ケース壁部分１２ａの一部を凹入させた箇所で、横向きの回転軸芯ｘを共通にする状態で配設された左右一対の横支軸周りに転動自在に構成されたものである。
このようにケース本体１の一角部に転輪２を備えて曳行する型式のものでは、回転軸芯ｘがケース本体１に対して位置固定状態に設けられた構造の転輪２で全く問題ないが、このような固定式の転輪２に代えてキャスター車輪を採用しても差し支えない。
ただし、キャスター車輪を用いる場合は、そのキャスター車輪の上下向きの支持軸の回転軸心が鉛直方向であると曳行方向が定まりにくいので、ケース本体１を前傾させた曳行姿勢では、キャスター車輪の上下支持軸部分が前傾して、少し前傾した回転軸芯まわりでキャスター車輪が向き変更するように構成するとよい。
【００４４】
〔取っ手の構造〕
取っ手３は、図２及び図４に示すように、ケース本体１に内蔵されている保持筒４と、この保持筒４に対して挿抜自在に嵌挿された引き手杆５とから構成されている。
保持筒４の引き出し側端部には、係合孔４０が形成され、引き手杆５の挿入奥側端部には、引き手杆５の挿抜方向に対して直交する方向の軸線を有した円柱状の係合片４１が引き手杆５に対して相対移動可能に設けられている。この係合片４１は押圧バネ板４２によって常に係合孔４０に対して係合方向に付勢されているが、係合片４１の突出側の端部が球面状の湾曲面に形成されているので、押し方向もしくは引き方向に強く操作すると、係合片４１がバネ板４２の付勢力に抗して係合孔４０から外れ、伸縮操作することができる。
この構造では、引き手杆５の引き出し長さを略３０ｃｍに設定しておくことで、引き手杆杆５を二重筒状にしてテレスコープ構造とするような必要なく、単一棒状の抜き差し部分を備えた引き手杆５で地面から握り手までの高さに相当する距離を備えた取っ手３を構成することができるが、ケース本体１の大きさや、引き出し長さＬ１の設定条件によっては、二重筒状や三重筒状の多段の引き手杆５を用いたテレスコープ構造に構成してもよい。
【００４５】
上記構造の引き手杆５は、図４〜図６に示すように、上述の保持筒４に対して抜き差し方向で移動する左右一対の伸縮杆部５０と、その上端側で伸縮杆部５０に対して横軸芯Ｐ２周りで相対角度変更可能なＵ字状の握り杆部５１との組み合わせで構成され、この握り杆部５１には、曳行操作者が把持するための握り部３０が備えられている。
前記伸縮杆部５０に対する握り杆部５１の相対角度を変更可能な部位の構造は、図５、図６に示すように構成されている。
すなわち、前記伸縮杆部５０の上端部には、その伸縮杆部５０とＵ字状の握り杆部５１の開放側である基端部を連結するための接続用枠体５２が一体的に連結してあり、この接続用枠体５２に姿勢変更機構６を組み込んである。
【００４６】
前記接続用枠体５２は、Ｕ字状の握り杆部５１の開放側である基端部を個々に連結するための左右一対の接続部材５３，５３と、その接続部材５３，５３同士を、２本の連結軸体５４，５４で連結して構成されている。
各接続部材５３は、各伸縮杆部５０の上端部に対する連結用の嵌合部５５と、握り杆部５１の各基部を連結する連結用挟持部５６とを備え、その連結用挟持部５６は、Ｕ字状の握り杆部５１の基端部を左右両側から挟持する状態に位置する左右一対の対向挟持片５６Ａ，５６Ａを備えている。前記対向挟持片５６Ａ，５６Ａ同士は、前記左右一対の接続部材５３，５３同士の間に設けられた一対の連結軸体５４，５４の延長部分５４ａ，５４ａで一体に連結されている。
前記対向挟持片５６Ａ，５６Ａは、図５に示すように、伸縮杆部５０に対して、側面視でその杆身方向の中心線ｍ１に対して、ケース本体１の中央側へ向けて所定角度θｍ１だけ傾斜した（約２６度）中心線ｍ２を有するように屈折した形状に形成されており、この傾斜した中心線ｍ２上の離れた二箇所に前記連結軸体５４が配設されている。
前記連結軸体５４のうち、伸縮杆部５０に近い側の第１連結軸体５４は、側面視で前記伸縮杆部５０の長手方向の中心線ｍ１の延長線に交差するように軸芯Ｐ１を位置させているとともに、前記握り杆部５１の基部の揺動範囲からは離れて位置し、左右の接続部材５３，５３を一体に連結して、この第１連結軸体５４の前記左右の接続部材５３同士の間の部分を把持した状態での引き手杆５１の伸縮操作を行い易く構成してある。
前記伸縮杆部５０から遠い箇所に位置する第２連結軸体５４には、握り杆部５１の基部が揺動自在に連結されていて、この第２連結軸体５４が握り杆部５１を前記軸芯Ｐ２周りで姿勢変更可能に枢支するための枢支軸となっている。
【００４７】
前記姿勢変更機構６は、次のように構成されている。
すなわち、前記握り杆部５１のうち、握り部３０側から前記軸芯Ｐ２位置を越えて伸縮杆部５０に近い側の基部に、姿勢変更機構６の構成要素となるカム部６０が一体に設けられており、このカム部６０と、このカム部６０の動作に伴って握り杆部５１をケース本体１の外郭縁に沿う格納姿勢と、ケース本体１の外郭縁から離れて水平方向に近づく曳行作用姿勢との各姿勢に弾性付勢するバネ材で構成された付勢手段６１と、前記握り杆部５１の前記格納姿勢と曳行作用姿勢との両姿勢で付勢手段６１の付勢力に対向して握り杆部５１の基部を受け止めるように接当する接当部６２とで前記姿勢変更機構６が構成されている。
【００４８】
前記付勢手段６１として用いられるバネ材は、前記第１連結軸体５４の外周側で接続部材５３の内周側に沿う状態で設けられた円環状のバネ板で構成されている。この付勢手段６１を構成する円環状のバネ板は、図５に示すように、接続部材５３の内周の１８０度を超す範囲で接続部材の内部に形成されるバネ材嵌入部６３に接触する状態に嵌入されており、自由状態でカム部６０の先端移動軌跡Ｒと交差するように配設領域を設定してある。
この配設領域のうち、二点鎖線で示すところの前記格納姿勢にある状態でのカム部６０に交差する領域ｎ１と、曳行作用姿勢にあるカム部６０と交差する領域ｎ２が、前記格納姿勢と曳行作用姿勢との各姿勢でカム部６０対して付勢手段６１の付勢力が働くように、カム部６０と接触したバネ材が変形させられる範囲である。
また、この付勢手段６１を構成する円環状のバネ板は、図５，６に示すように、その円環の曲率中心Ｐ３位置が、前記第１連結軸体５４の軸芯Ｐ１と第２連結軸体５４の軸芯Ｐ２とを結ぶ線分ｍ２よりも少し格納姿勢にあるカム部６０寄りに偏倚している。
このように付勢手段６１を配設してあることにより、前記カム部６０は、付勢手段６１を構成する円環状のバネ板の曲率中心Ｐ３位置と第２連結軸体５４の軸芯Ｐ２とを結ぶ線分をデッドポイント線ＤＰＬとして、その両側に前記格納姿勢と曳行作用姿勢との各姿勢でカム部６０が安定位置するように構成してある。
前記付勢手段６１を構成する円環状のバネ板の曲率中心Ｐ３の位置は、前記第１連結軸体５４と第２連結軸体５４とを結ぶ線分ｍ２よりも格納姿勢のカム部６０側に寄っているが、これによって、付勢手段６１である円環状のバネ板による付勢力の作用方向と曳行作用姿勢にあるカム部６０との交叉角が、前記第１連結軸体５４と同一位置に曲率中心Ｐ３が位置する場合よりも直角に近づき、バネによる付勢力がカム部６０に効率良く作用することになる。
【００４９】
各接続部材５３の連結用挟持部５６を構成する左右一対の対向挟持片５６Ａ，５６Ａは、図５，６に示すように中間に位置する外周枠部５６Ｂと一体に形成されていて、この外周枠部５６Ｂによって前記円環状のバネ板を嵌め込む前記バネ材嵌入部６３と、カム部６０に対する前記接当部６２とを構成している。
前記カム部６０が格納姿勢にある状態（図５中、二点鎖線で示す状態）では、握り杆部５１の中心線ｍ３は、前記伸縮杆部５０の長手方向の中心線ｍ１に対して約９０度屈折しており、この格納姿勢から握り杆部５１のを操作してカム部６０を曳行作用姿勢（図５中、握り杆部５１が実線で示される状態）に操作すると、前記接続部材５３の中心線ｍ２に対する握り杆部５１の中心線ｍ３の角度差θｍ２は、約２６度である。
したがって、握り杆部５１を格納姿勢から曳行作用姿勢に姿勢変更するに要する握り杆部５１の揺動操作角θｍ３は約３８度であり、この角度範囲で前記カム部６０も揺動変位する。前記握り杆部５１を格納姿勢（図５中、二点鎖線で示す状態）にしておくと、握り杆部５１がケース本体１の外郭縁に沿う状態を前記付勢手段６１の軽い付勢力で維持し、その握り杆部５１をケース本体１から引き離す方向に操作すると、前記デッドポイント線ＤＰＬを越えてカム部６０が曳行作用姿勢（同図中、実線で示す状態）側に移行して、その曳行作用姿勢に握り杆部５１が位置する状態を前記付勢手段６１のより強い付勢力で維持することになる。
【００５０】
〔組み合わせ構造〕
図２に示すように、前記転輪２が設けられたケース本体１の下方の角部に対して、対角線方向で対向する上部側のケース本体１の角部からは、ケース本体１の周辺枠面１Ｂ部分の後ろ向き面に沿って伸縮調節自在な取っ手３が設けられている。図３のようにケース本体１の重心Ｇが接地点Ｏの鉛直線ｙ上に位置する状態で、転輪２の接地点Ｏから取っ手３が設けられているケース本体１の対角位置のコーナーまでの高さＨ１が約６０ｃｍであるから、取っ手３の引き出し長さＬ１を２０ｃｍとすれば、地面から最大伸長時の取っ手３の握り部中央箇所Ｍまでの高さＨ２は、約７５ｃｍとなる。
尚、この取っ手３の引き出し長さＬ１は、使用者の身長等に応じて適宜設定すればよい。因みに上述のように引き出し長さＬ１が２０ｃｍ程度で、地面から取っ手上端までの高さＨ２が約７５ｃｍとなる場合であれば、伸長１７０〜１８０ｃｍ程度の使用者が用いるのに好適である。
参考までに、地面から取っ手３の握り部３０の中央箇所Ｍまでの高さＨ２が約７５ｃｍである場合に、従来のケース本体１の前向き面に沿って取っ手３を設けた構造の転輪付き鞄（ただし、この転輪付き鞄では前後方向断面が左右方向断面の長さよりも短いもので、特許文献１に示したものと同様な構造である）における取っ手３の引き出し長さＬ１’を図３中に示す。このように、従来の構造であれば、握り部の中央箇所Ｍまでの高さＨ２を約７５ｃｍにするには、取っ手３の引き出し長さＬ１’は約５０ｃｍと、ケース本体１の横辺ｂの長さと同程度になってしまうため、取っ手３の所要長さを確保するための引き手杆５の格納スペースをケース本体１の内部に収めることが困難で、この所要長さを確保するためには、取っ手３の伸縮構造を、二段または三段のテレスコープ構造にしなければならず、その伸縮構造の複雑化を免れない。
【００５１】
上記のように、ケース本体１の重心Ｇが転輪２の接地点Ｏの直上に位置する姿勢での曳行姿勢が基準の曳行姿勢であり、このとき、曳行する使用者が自然に垂らした手で取っ手３を握るときの高さ位置が、前記取っ手３における握り杆部５１によって構成される握り部３０の中央箇所Ｍとなるように取っ手３の引き出し長さＬ１を調整すればよい。
このときの前記転輪２の接地点Ｏと前記取っ手３の握り部３０の中央箇所Ｍとを結ぶ線分ｙ１と、ケース本体１の縦辺ａと横辺ｂとによる矩形の中心（重心Ｇ相当部分）と前記接地点Ｏとを結ぶ線分ｙ２とで成す角度θ１が、前記ケース本体１の転輪２を設けた角部とこれに対向する角部とを結ぶ対角線ｙ３と、この対角線ｙ３に交差するケース本体１の前縁（横辺ｂ）とが成す角度θ２よりも小さくなるように、前記取っ手３の側面視での位置を設定してある。尚、この例では、転輪２の接地点Ｏを通る鉛直線ｙと、矩形の中心（重心Ｇ相当部分）と前記接地点Ｏとを結ぶ線分ｙ２と、転輪２を設けた角部とこれに対向する角部とを結ぶ対角線ｙ３とが同一線上にならぶ状態を示している。
重心Ｇの位置は、現実の使用状態では内容物の詰め方などで変化し、必ずしも矩形の中心とは一致しない場合があるが、これを考慮するとケース本体１としてはその重心Ｇの位置が特定できないので、便宜上、ケース本体１の側面視における矩形の中心を重心相当位置として考える。また、ケース本体１の側面視形状が矩形でない場合にも、その図形の中心を重心相当位置として考えればよい。
【００５２】
また、図３（ＩＩ）、及び図９（Ｉ）に示すように、曳行方向の背後からまたは正面からみると、取っ手３の握り部３０は、ケース本体１の奥行き方向で曳行操作者に近い側の端部から前記握り部３０までの距離Ｌ２が、歩行姿勢の曳行操作者が自然に垂らした手による握り位置と曳行操作者の身体側部との間隔（握りこぶし１個分程度）と同程度以下となるように設定されている。
具体的なこの間隔寸法としては、かなりの個人差もあるが、要は、曳行者が取っ手３の握り部３０を把持しての曳行姿勢で、握り部３０に作用する吊り下げ荷重を負担するために、上肢の外転を伴う必要から三角筋の収縮状態を維持し続けなければならない、というような吊り下げ状態ではなく、肩や上肢の筋肉は弛緩状態のままで筋繊維自体の強度により自然に垂らした上肢で無理なく吊り下げて曳行するに適した寸法であれば良く、平均的な成人男性では、約７〜９ｃｍ程度である。
したがって、握り部３０を把持する握り位置と曳行操作者の身体側部との間隔がこれ以下となるように前記寸法を設定しておけば、吊り下げ状態での曳行が楽に行い易い。この間隔が１０ｃｍ以上くらいになると、同図中に二点鎖線で示すように僅かではあるが腕を外側へ張り出して支持する状態となり、三角筋の収縮を伴って多少腕を引き上げぎみにして曳行する必要があるので、腕の疲れが生じ易い。
それ故、取っ手３の握り部３０の位置は、ケース本体１の奥行き方向で曳行操作者に近い側の端部から前記握り部３０までの距離Ｌ２が、前述のように、自然に垂らした手による握り位置と曳行操作者の身体側部との間隔と同程度以下となるように設定されるのが望ましい。
【００５３】
前記転輪２の接地点Ｏと取っ手３の握り部３０とを結ぶ線分ｙ１は、図１４に示すように、曳行されるケース本体１に対する側面視で、前記ケース本体１の前傾姿勢の前縁と、前記転輪２の接地点Ｏとケース本体１の重心Ｇ相当箇所とを結ぶ線分ｙ２とで構成される角度範囲内に位置し、かつ、前記ケース本体１における重心Ｇ相当箇所が転輪２の接地点Ｏを通る鉛直線ｙ上に位置する基準曳行姿勢で、前記転輪２の接地点Ｏと曳行姿勢における取っ手３の握り部３０の中央箇所Ｍとを結ぶ線分ｙ１の周りにケース本体１が旋回して１８０度向きを変えても、ケース本体１の底縁が水平よりも上向きであるように、その対水平姿勢を設定してある。
この図１２に示すケース本体１の例では、前記転輪２の接地点Ｏと曳行姿勢における取っ手３の握り部３０の中央箇所Ｍとを結ぶ線分ｙ１は、前記ケース本体１における重心Ｇ相当箇所が転輪２の接地点Ｏを通る鉛直線ｙＧに対して、約１４度前傾しており、ケース本体１が前記線分ｙ１周りに旋回して１８０度向きを変えたとき、その底縁と水平線との間には、約１０度の角度で形成される間隔が存在している。
つまり、このケース本体１の例で示すように、
β１（線分ｙ１が鉛直線ｙＧに対して前傾する角度）＝約１４度
β２（ケース本体１が前記線分ｙ１周りに旋回して１８０度向きを変えたときの底縁と水平線とのなす角度）＝約１０度
であると、
β１＋β２＝約２４度
であるから、
基準曳行姿勢では前記鉛直線ｙよりも後方側に位置していたケース本体１の後方側部分が１８０度向きを変えても、その底縁が水平線の下側へ入り込む、すなわち地面に衝突するということがないようにするには、ケース本体１における重心Ｇ相当箇所が転輪２の接地点Ｏを通る鉛直線ｙＧに対する、転輪２の接地点Ｏと曳行姿勢における取っ手３の握り部３０の中央箇所Ｍとを結ぶ線分ｙ１の前傾角度を、約２４度以下であるように設定すればよい。これによって、１８０度向きを変えてもケース本体１の底縁が中に浮いた状態が維持されている。
【００５４】
上記の例のように、１８０度向きを変えてもケース本体１の底縁が水平線の下側へ入り込むことがないように鉛直線ｙに対する前記線分ｙ１の角度を設定しておくのが望ましいが、必ずも完全に１８０度向きを変えた状態に限らず、例えば、１２０度以上とか、９０度以上に向きを変えた場合など、基準曳行姿勢では前記鉛直線ｙよりも後方側に位置していたケース本体１の部分が前記線分ｙ１よりも前方側に位置するように向きを変えても、ケース本体１の底縁が水平線の下側へ入り込むことがないように鉛直線ｙに対する前記線分ｙ１の角度を設定しておけばよい。
このように鉛直線ｙに対する前記線分ｙ１の角度を設定すると、基準曳行姿勢における前記線分ｙ１の起立角度が鉛直姿勢に近づくため、図１４に示すように、重心Ｇの高さと、前記線分ｙ１に対する重心Ｇからの垂線の交点Ｇｐとの間における落差Ｌ４はきわめて小さくなり、前記線分ｙ１周りに発生する回転モーメントｍＧは小さく、ケース本体１を回動させるほどの外力とはなりにくい。しかも、路面の凹凸などによって仮にケース本体１を回動させるほどの外力が生じたとしても、ケース本体１は線分ｙ１周りに回転するだけであり、ケースの転倒は避けられることになる。
【００５５】
〔他の実施形態１〕
本発明の実施の形態の別例を示す。
図１５はビジネス用の中型のケースを示し、このケースは縦辺ａの長さＬａが約３５ｃｍ、横辺ｂの長さＬｂが約５２ｃｍ、奥行き辺ｃの長さＬｃが約２５ｃｍである。
このように横辺ｂの長さＬｂが長いものであると、その横辺の長さＬｂを、接地点Ｏから取っ手３の握り部３０までの長さとして有効利用し易い。
この実施形態のものでは、ケース本体１を基準曳行姿勢とした場合、路面から傾斜したケース本体１の最上部の高さは、約６４ｃｍとなり、握り手の高さとして標準的な高さ７０〜７５ｃｍにかなり近いので、取っ手３を起伏揺動式もので構成するのに適している。
この構造では、取っ手３を縦辺ａの長さＬａよりも短い起伏揺動式もので構成し、取っ手３が縦辺ａにほぼ沿う格納姿勢と、縦辺ａから離れた作用姿勢との間で、約５０度取っ手３の角度を変更するように構成してある。
このような取っ手３を備えたものでは、このケース本体１の基準曳行姿勢で作用姿勢にした取っ手３が、ケース本体１の前傾姿勢の前縁の傾斜角度よりも水平に近くなる（水平線に対しては、約２０度前上がりの傾斜を有している）ように設定されている。このような起伏揺動式の取っ手３を採用すると、伸縮式の取っ手３に比べて、ケース本体１の内部に伸縮杆部を内装するための保持筒４を設ける必要がない点で有利である。
【００５６】
そして、このケースは、前述の実施形態のように、ケース本体１が、周辺枠面１Ｂ部分を構成するループ状の周辺ケース壁１１と、前記周辺枠面１Ｂ部分の左右両側に位置する横向き面１Ａ部分を構成する開閉自在な横側ケース壁１２とで構成されたものではなく、次のように構成されている。
つまり、このケース本体１は、前記周辺枠面１Ｂ部分のうちの天井部分の面（後向き面ｃ３に相当）を除く３面と、周辺枠面１Ｂ部分の左右両側に位置する横向き面１Ａ部分との５面全体を一体にした矩形の有底箱状のケース壁１０と、開放された天井部分に揺動開閉式の左右一対の蓋体部１Ｃを設けて構成されている。
これは転輪２や取っ手３を備えていない手提げ式のビジネス用の中型ケースで用いられている揺動開閉式の蓋体を備えた構造と同様のものであり、図１５中の符号７は、ケース本体１の全体を持ち上げて手提げ状態で運搬する際に用いる提げ手である。
【００５７】
上記の取っ手３の起伏揺動構造は次のように構成されている。
図１６（Ｉ），（ＩＩ）に示すように、横支軸３２，３３周りで起伏揺動自在な握り杆部５１を備えて、この握り杆部５１を、ケース本体１の外面に沿う格納姿勢と、外面から離れる方向に引き起こされた作用姿勢とに姿勢切り換え可能に構成されている。
この握り杆部５１は、前後２箇所の横支軸３２，３３を備え、前方の横支軸３２がケース本体１の上部角部に備えられた取り付けブラケット３５の外周部に形成した凹入溝３６に嵌入し、後方の横支軸３３が取り付けブラケット３５の中央箇所に形成したガイド孔３７を貫通している。
握り杆部５１が図中実線で示す格納姿勢にあるとき、前の横支軸３２は凹入溝３６の下端部にあり、後ろの横支軸３３はガイド孔３７の上端部に位置して、この状態が維持されるようにガイド孔３７内に装備された板バネ３８により後ろ横支軸３３が上部側へ付勢されている。握り杆部５１を図中二点鎖線で示す曳行姿勢に引き起こすと、後ろ横支軸３３が板バネ３８の付勢力に抗して下方側へ移動し、前の横支軸３２は凹入溝３６の上端部に移動し、この状態が後ろの横支軸３３を板バネ３８の付勢力によってガイド孔３７の下端部に付勢することによって維持するように構成されている。
【００５８】
握り杆部５１の姿勢変更構造は、上記のような構造に関わらず任意の構造を採択することができる。また、曳行姿勢における起伏角度を多段、もしくは無段に調節可能に構成することで、握り部３０の高さ調節を行えるように構成してもよい。
【００５９】
〔他の実施形態２〕
揺動式の取っ手３を構成する場合、図１７に示すように、ケース本体１の最上部を越えてＬ字状の握り杆部５１を備えた取っ手３を採用し、この握り杆部５１の起伏角度を、多段、若しくは無段階に調節できるようにして、ケース本体１の大きさによる影響の少ない状態で好適な構成の取っ手３を採用してもよい。
このように、握り杆部５１の起伏角度を図１７に示すように多段階に調節すると、その調節角度の設定によって、握り杆部５１の握り部３０の高さを多段階に変更することができる。因みに、この図１７によれば、実線の線図で記載した握り杆部５１の握り部３０における中央箇所Ｍ３として設定した位置の路面からの高さは、約７５ｃｍであり、その握り部３０が路面に対してなす角度は約１８度である。同図中、二点鎖線で示す握り部３０のうち、路面に対して平行な握り部３０の中央箇所Ｍ１の路面からの高さは約６７．５ｃｍであり、その上側の中央箇所Ｍ２の高さは７０ｃｍ、握り部３０の角度は約７度である。最も上方に記載されている中央箇所Ｍ４の路面からの高さは８０ｃｍであり、その握り部３０が路面に対してなす角度は約３１度である。
この握り部３０が地面に対してなす角度は、ケース本体１の後ろ倒れ現象を抑制する必要から４５度を越えてはならず、望ましくはこの例のように３０度程度、もしくはそれ以下に、曳行時に通常使用する最大起伏角度を設定しておくべきである。
【００６０】
上記のように多段、もしくは無段階の調節を行うための構造としては、次のような構造を採用することができる。
側面視でＬ字状に構成された握り杆部５１の基端部を枢支する揺動支点軸４５を、図１８及び図１９に示されているように、ケース本体１に固定された左右一対のブラケット１７に対して軸線方向に相対移動可能に構成してある。
この揺動支点軸４５は、その一方の軸端に頭部４６を備え、他端側に後述する締め付け機構８を装備している。
そして、この揺動支点軸４５を支承する前記一対のブラケット１７と、そのブラケット１７に対向する握り杆部５１の基端部との各対向面にそれぞれ係合用の菊座部分１８を形成し、前記締め付け機構８の操作によって、各菊座部分１８を強く圧接状態にして握り杆部５１の姿勢を固定したり、締め付けを緩めて握り杆部５１の姿勢変更を可能にする状態とに切換自在に構成してある。
【００６１】
前記締め付け機構８は、図１８、及び図１９（Ｉ），（ＩＩ）に記載のように、揺動支点軸４５の軸端部に対してピン８１介して回動操作自在に設けた操作レバー８０を備え、この操作レバー８０の一部に締め付けカム部８２を一体形成している。つまり、操作レバー８０に設けられた締め付けカム部８２は、図１９（ＩＩ）に実線で図示された状態が締め付け姿勢に操作されている状態であり、このとき締め付けカム部８２は揺動支点軸４５を図中左方へ引き出すように作用することにより、揺動支点軸４５の頭部４６が握り杆部５１の基端側を図１８で左方へ押す。このとき、図１８における右側のブラケット１７との対向面に形成された菊座部分１８同士が圧接され、同時に握り杆部５１の基端側における繋ぎ部材５１ａを介して握り杆部５１の他方の基端部に形成されている菊座部分１８も他方のブラケット１７の対向面に形成されている菊座部分１８に圧接して、握り杆部５１の姿勢が固定される。
前記操作レバー８０を図示二点鎖線のように反転操作すると、締め付け機構８の締め付けを解除する操作となり、このように解除姿勢に操作した状態で締め付けカム部８２は、図１９（ＩＩ）中に示す間隙ｄ分の寸法だけ、揺動支点軸４５の軸芯方向の動きを自由にする。この間隙ｄは、前記菊座部分１８が咬み合い状態を解除するに十分な間隙である。さらに、前記一方のブラケット１７の菊座部分１８がない面と、前記他方の握り杆部５１の菊座のない面との間に、前記各菊座部分同士を接近させる方向へ軽く付勢するコイルスプリング８３を介装している。
【００６２】
前記締め付け機構８はこのように構成されているので、前記操作レバー８０の締付け方向の操作によって、前記コイルスプリング８３の付勢力の作用方向と同方向に揺動支点軸４５を操作して、前記菊座同士を強い噛み合い状態とし、相対回動不能な位置固定状態とすることができる。
前記操作レバー８０を解除方向に操作すると、揺動支点軸４５を少し動かして菊座部分１８の咬み合い方向への押し付け作用を軽減する。この操作によって、前記係合状態にあった菊座部分１８同士の強固な固定状態を解除することになるが、その解除方向への操作後にも、コイルスプリング８３の付勢力によって菊座部分１８同士は軽く接触している。
したがって、前記握り杆部５１をある程度の力で揺動操作すると軽い係合状態にあった菊座部分１８同士が互いに係合位置を変えて、握り杆部５１の前記揺動支点軸４５周りでの回動を許し、手を離すと前記菊座同士が係合して握り杆部５１はその位置で停止する。この状態で固定したければ、前記操作レバー８０を操作して、締め付け操作を行えば、握り杆部５１の位置を曳行操作するに好適な固定状態とすることができる。
【００６３】
この構造では、前記ブラケット１７をケース本体１に固定して設けるために、ケース本体１の後向き面ｃ３に相当する部分の上部側に、ケース本体１の横向き面１Ａを構成する左右の横側ケース壁１２と、ケース本体１の上向き面ｃ２を構成する周辺ケース壁１１とに対して固定された部分ケース壁１１Ａが設けられ、後向き面ｃ３の残りが開閉自在な開口部１１Ｂとなっている。
そして、その開口部１１Ｂは、揺動開閉式の左右一対の蓋体部１Ｃによって開閉自在に構成されており、図１８に示すように、一方の蓋体部１Ｃに設けた提げ手７を、他方の蓋体部１Ｃに形成した開口７ｃを通して外部へ露出させた状態で、両蓋体部１Ｃ，１Ｃ同士を連結固定具１１ｃで連結することにより、吊り下げ支持可能に構成されている。
【００６４】
〔他の実施形態３〕
多段、もしくは無段階の調節を行うための構造としては、上記のような構造に限らず、図２０及び図２１に示すように構成してもよい。この構造では、側面視でＬ字状に構成された握り杆部５１の基端部を枢支する揺動支点軸４５を、ケース本体１の上向き面ｃ２に設けて、その揺動支点軸４５から後向き面ｃ３側に向けて上側へ握り杆部５１を延出し、Ｌ字状に屈曲した延長部分が前記後向き面ｃ３に沿う状態の格納姿勢と、図２０中に握り杆部５１の中心線を太実線で単純化して示したように、前記延長部分が後向き面ｃ３から離れて水平に近くなる作用姿勢とに、姿勢切換自在に構成されている。
このように構成すれば、図２１では蓋体部１Ｃ，１Ｃの上側を覆う状態に存在していた握り杆部５１を作用姿勢とすることで、その握り杆部５１の存在によって開放を阻止されていた蓋体部１Ｃ，１Ｃを揺動開閉し、後向き面ｃ３の全面を開放可能に構成することができる。
また、この構造では、握り杆部５１を作用姿勢とすることで、握り杆部５１の前記後向き面ｃ３に沿っていた延長部分が後方に向き、その握り部３０の中心点Ｍが、転輪２の接地点Ｏの直上にケース本体１の重心Ｇが位置する状態で前記接地点Ｏを通る鉛直線ｙの直上、もしくはその極近くに位置する状態となる。したがって、ケース本体１に左右転倒方向の外力が作用しても、その転倒方向に作用する外力を握り部３０で直接的に受けて、直接的に握り部３０から抗力を作用させることができるので、より効果的に転倒を阻止し易い。
尚、握り杆部５１の角度変更のための機構は、前記〔他の実施形態２〕で説明した図１９に示す構造と同様のものを採用すればよい。
【００６５】
〔他の実施形態４〕
ケース本体１や取っ手３の形状及び構造については、各種のものを採用することができるものであり、次のような構造も考えられる。
この実施形態による構造では、基本的な構造、すなわち、縦辺ａと横辺ｂとで構成される横向き面１Ａを進行方向の左右両側に備えるとともに、その左右両側の横向き面１Ａ同士の対向間隔幅に相当する奥行き辺ｃ部分では、前向き面ｃ１、上向き面ｃ２、後向き面ｃ３、及び下向き面ｃ４からなる周辺枠面１Ｂが、前記横向き面１Ａの四周に位置して左右両側の横向き面１Ａの間を繋いで、全体が箱状に構成されている点、及び、周辺枠面１Ｂ部分の左右両側に位置する横向き面１Ａ部分では、その下方側の一部が周辺枠面１Ｂ部分と一体化されて固定ケース壁部分１２ａを構成しており、横向き面１Ａの残部が開閉自在な固定ケース壁部分１２ａを構成している点、などでは、前述の実施形態のものと同様に構成されたものである。
【００６６】
この実施形態における特徴的な部分は、ケース本体１として側面視形状が矩形のものではなく、図２０〜図２１示すような変形形状に構成されたものを採用していることである。
この構造では、ケース本体１の縦辺ａと横辺ｂのうち、転輪２を配設してあるケース本体１の一つの角部を構成するところの下側縦辺ａ１と、これに対向して曳行時に上方に位置する上側縦辺ａ２とが、互いに平行な辺ではなく、その長さも前記転輪２側の下側縦辺ａ１が短く、上側縦辺ａ２が長くなるように設定されている。
横辺ｂは、転輪２を配設してある側の前側横辺ｂ１と、これに対向して曳行時に後方向きに位置する後側横辺ｂ２とが、互いに平行な辺となるように設定されているが、その長さは、前記転輪２側の前側横辺ｂ１が長く、後ろ向きの後側横辺ｂ２はそれよりも短くなるように設定されている。
このため、ケース本体１の側面視での形状は、曳行時に前傾姿勢の前縁となる前記転輪２側の前側横辺ｂ１と、曳行時に上方に位置する側の上側縦辺ａ２との交差角θ３が鋭角（例えば約６０度）で、その曳行時に上方に位置する側の上側縦辺ａ２と曳行時に後方向きに位置する後側横辺ｂ２との交差角θ４が鈍角（例えば約１２０度）になり、残りの角部が夫々ほぼ直角の、不等辺四角形状となっている。
このように構成されたケース本体１においても、その重心Ｇの位置は、その不等辺四角形状の図形中心位置に存在するものと想定し、この重心Ｇが転輪２の接地点Ｏの鉛直線上に位置する基準曳行姿勢で、前記上側縦辺ａ２がほぼ水平姿勢となるように不等辺四角形状の各辺の寸法を定めてある。
【００６７】
この構造のケースでは、取っ手３を次のように構成している。
前述の実施形態のものでは、取っ手３に設けられる握り部３０を、格納姿勢ではケース本体１の外郭縁に沿わせ、曳行姿勢では水平方向に沿わせられるように、握り部３０の角度を変更するための起伏揺動構造を必要としているが、この実施形態の発明では、そのような起伏揺動のための構造を必要としていない。
つまり、この実施形態の発明では、ケース本体１の側面視での形状が、曳行時に上方に位置する側の上側縦辺ａ２と、曳行時に後方向きに位置する後側横辺ｂ２との交差角θ４が鈍角となるように形成されているので、取っ手３を構成する引き手杆５を、この鈍角の角部に沿わせて屈曲した形状とすることができる。
【００６８】
取っ手３は、前述の実施形態と同様に、ケース本体１に内蔵されている保持筒４と、この保持筒４に対して挿抜自在に嵌挿された引き手杆５とから構成するものであるが、その引き手杆５を、上述の保持筒４に対して抜き差し方向で移動する左右一対の伸縮杆部５０と、その左右一対の伸縮杆部５０の上端側に一体に形成されたＵ字状の握り杆部５１との組み合わせで構成している。
この構造では、握り杆部５１が伸縮杆部５０に対して所定角度屈曲した状態で一体に形成されているものであり、この屈曲角度を、前記ケース本体１の上側縦辺ａ２と、曳行時に後方向きに位置する後側横辺ｂ２とによる鈍角の交差角θ４と同程度に設定しておくことで、握り杆部５１を、格納姿勢ではケース本体１の外郭縁に沿わせ、曳行姿勢では水平方向に沿わせられるように構成したものである。
上記の例では、曳行時に前傾姿勢の前縁となる前記転輪２側の前側横辺ｂ１と、曳行時に上方に位置する側の上側縦辺ａ２との交差角θ３が約６０度で、その曳行時に上方に位置する側の上側縦辺ａ２と曳行時に後方向きに位置する後側横辺ｂ２との交差角θ４が約１２０度に設定した例を示したが、この角度は適宜変更して設定することが可能であり、要は、握り杆部５１を、格納姿勢ではケース本体１の外郭縁に沿わせ、曳行姿勢では水平方向に沿わせられるように構成したものであればよい。
【００６９】
図２３は、前記図２２に示された変形したケース本体１を用いる構造の斜視図、及び、同様な構造で小型のケース本体１の斜視図を示したものである。この図２３（ＩＩ）に示すように小型のケース本体１を構成する場合には、引き手杆５の突出長さが長くなるので、この引き手杆５を一本で構成することにより、その軽量化をより一層図ることができる。
引き手杆５の伸縮杆部５０は、ケース本体１の上下方向長さが短いものであるため、複数段のテレスコープ構造と成らざるを得ないが、ケース本体１の左右幅をあまり大きくしない限り、一本の引き手杆５で構成しても全く問題ない。
仮にケース幅を大きくする場合には、引き手杆５の伸縮杆部５０は一本で構成し、その上端側の握り杆部５１部分で二股に分岐させたり、ループ状に形成した握り部３０を構成するなど、部分的に左右端部寄りに握り部３０を構成する構造を採用するとよい。
【００７０】
〔他の実施形態５〕
ケース本体１と取っ手３の組み合わせ構造については、各種のものを採用することができるものであり、次のような構造も考えられる。
この実施形態による構造では、取っ手３部分を除く構造が、上記の「他の実施形態３」に示すものと同様に変形ケースによって構成されている。
そして、取っ手３部分は、前記「他の実施形態３」に示す構造のものが、硬質材で構成された伸縮式のものであったのにくらべ、この実施形態では、軟質の取っ手３を採用している点で相違している。
つまり、図２４（Ｉ），（ＩＩ）に示すように、ケース本体１の周辺枠面１Ｂ部分のうち、基準曳行姿勢でほぼ水平方向に沿う上縁に相当する箇所に、布または皮紐などの軟質帯状の取っ手３が前後方向に沿わせて取り付けられており、この取っ手３を把持することによってケースの曳行姿勢を維持することができる。
すなわち、この取っ手３自体は引き上げ方向の作用力を与えるものであるが、ケースを押し下げる必要が生じた場合に、その取っ手を把持する手でケース本体１の上縁を直接に押し下げることでケース姿勢を維持することが可能である。この構造を採用すれば、ケース本体１の上縁が取っ手３の押し下げ機能を兼ねることになる。この図２４における符号３ａは、ケース本体１に対する軟質帯状の取っ手３の取付強度を高めるとともに、その取っ手３のケース本体１に対する横ずれを規制するための止め部材である。
このように軟質材で取っ手３を構成すると、ケース本体１の大きさが、曳行操作者の握り手の高さ位置の設定に大きく影響するので、ケース本体１の大きさの自由度が少ない点での不利はあるが、取っ手３自体は軟質材で構成され、ケース上縁に沿う状態に設けられるだけで良いので、姿勢変更構造などが必要でなく、より構造の簡素化が可能になる点では有利である。
【００７１】
〔他の実施形態６〕
図２５は、通常、提げ手７を把持して吊り持ちするのが一般的な小型のビジネス用の鞄型ケースと同程度の寸法に形成された転輪付き鞄を示している。実寸で示すと、この実施形態では、ケース本体１の大きさは縦辺ａの長さＬａが約３２ｃｍ、横辺ｂの長さＬｂが約４４ｃｍ、奥行き辺ｃの長さＬｃが約１０ｃｍである。
前記ケース本体１の底面側には、スライド操作によって出退自在に構成された支脚２０が装備され、支脚２０の先端に転輪２が設けられている。転輪２が設けられたケース本体１の角部に対角線方向で対向する角部の近く位置に、横向き支点Ｐ周りで起伏揺動及び位置固定自在な取っ手３が設けられている。
【００７２】
前記支脚２０は、図２７に示すように、ケース本体１の底部に沿って設けられたガイド体２１と、そのガイド体２１に内嵌状態で伸縮操作されるスライド杆２２とを備えて構成されている。ガイド体２１には、スライド杆２２を引き込んだ手提げ用格納姿勢と、スライド杆２２を下方へ突出させた曳行用突出姿勢とに姿勢変更して保持できるようにガイド溝２３が形成され、かつ、このガイド溝２３には、後述する操作突片２４を前記スライド杆２２の手提げ用格納姿勢と曳行用突出姿勢とのそれぞれで係合保持するように複数の係合溝２５が形成されている。
前記スライド杆２２には、スライド杆２２の出退方向に沿う揺動軸心ｘ１を有した揺動支軸２７を固定して設けてあり、この揺動支軸２７に前記操作突片２４の基端側ボス部を外嵌させて揺動自在に枢支してある。
そして、この操作突片２４には、図２７（Ｉ），（ＩＩ）に示すように、前記揺動支軸２７周りに巻回したつる巻きバネ２６の一端側が止着してあり、つる巻きバネ２６の他端側をスライド杆２２の内面側に受け止めさせてあることにより、操作突片２４を、前記揺動軸芯ｘ１周りで揺動自在に、かつ、係合溝２５への係合方向へ揺動付勢されるように構成してある。
このように構成された操作突片２４を前記つる巻きバネ２６の付勢力に抗して起立させた姿勢でガイド溝２３内を移動させることによってスライド杆２２の突出長さを変更し、手を離すとつるまきバネ２６の弾性復元力で係合溝２５に係合する側に姿勢が切り替わるようにしてある。
図２７中の係合溝２５は、スライド杆２２の出退方向で複数箇所に形成されており、曳行用突出姿勢での突出長さを複数段に切り替え可能に構成されている。前記スライド杆２２が手提げ用格納位置に位置しているとき、格納姿勢となる転輪２の、ケース本体１からの突出代を少なくできるように、ケース本体１の角部には、転輪２が入り込む凹入部１０ａが形成されている。
【００７３】
このような支脚２０を用いて曳行する構造のものにおいて、ケース本体１に対する取っ手３を設ける位置は、次のようにして決定するのが望ましい。
すなわち、取っ手３の握り部３０の中央箇所Ｍを持ってケース本体１を吊り下げたとき、そのケース本体１の重心Ｇが、前記握り部３０の中央箇所Ｍからの垂線ｙｍの下方に位置させるのが曳行時にケース本体１の姿勢を安定させ易く、これとともに、そのケース本体１の重心Ｇが転輪２の接地点Ｏを通る鉛直線ｙの直上にも位置しているのが、ケース本体１全体の重量支持を行う上で理想的である。つまり、図２５に示すように、前記三点（接地点Ｏ、重心Ｇ、中心部Ｍ）が一直線上に並ぶ状態とするように、夫々の位置を設定することにより、取っ手３による吊り下げ状態でケース本体１を安定良く、しかも軽快に曳行するのに好適な転輪付き鞄を得ることができる。
【００７４】
ただし、上記三点（接地点Ｏ、重心Ｇ、中心部Ｍ）の位置関係は、これらが前後方向でかなり近接した位置関係にあれば良く、必ずしも上下方向で一直線上に並ぶ状態としたものでなければ成らないというものではない。
転輪２の接地点Ｏと、前記重心Ｇと、前記握り部３０の中央箇所Ｍとの関係では、前記重心Ｇが転輪２の接地点Ｏを通る鉛直線ｙに近いほど重量軽減の上では有利であり、あまり前後にずれると、その分重心Ｇ箇所の重さが作用して重くなる。また、前記重心Ｇと、前記取っ手３の握り部３０の中央箇所Ｍとの関係では、握り部３０の直下に重心Ｇが存在するのはケース本体１の姿勢を安定させる上で有利であるが、接地点Ｏからあまり大きくずれるとやはり負担重量割合が増して重くなる。
つまり、これらの三点がすべて鉛直線上に揃うのが重量バランス的には有利であるが、曳行に際しては、多少握り部３０が前にある方がふらつきを生じ難くて操作し易い。したがって、接地点Ｏと重心Ｇとを結ぶ線分ｙ２が鉛直線ｙに対して少し（２〜１０度程度）前傾する程度で曳行できるようにしてもよい。ただし、曳行中はケース本体１が比較的大きく前後傾斜姿勢を変化させながら移動するので、上記の範囲を超えて変化することは当然あるが、平均的な傾斜角が前記の範囲に収まるように接地点Ｏの上方もしくはその近くに重心Ｇが位置する状態で姿勢変化が生じるように考慮するのが望ましい。
基本的な曳行姿勢を考えたときの基準の曳行姿勢としては、取っ手３の握り部３０の中央箇所Ｍを持ってケース本体１を吊り下げ姿勢で曳行するとき、そのケース本体１の重心Ｇが転輪２の接地点Ｏを通る鉛直線ｙの直上に位置している状態を基準の曳行姿勢として考えるべきであり、このときの取っ手３の握り部３０の中央箇所Ｍが、接地点Ｏと重心Ｇとを結ぶ線分ｙ２が、前述のように鉛直線ｙに対して少し前傾（０〜１０度程度）する程度で曳行できるようにしてもよい。
取っ手３の姿勢変更機構としては任意の構成を採用すればよいが、一例としては、前記図１６または図１９に示す機構と同様な姿勢変更機構を採用すればよい。
【００７５】
〔他の実施形態７〕
図２６は、図２５で示したケースと同様に、提げ手７を備えて手持ちするのが一般的な小型のビジネス用の鞄型ケースと同程度の寸法の転輪付き鞄で、同様な大きさものである。
この構造のものでは、支脚２０の出退方向ががケース本体１の対角線方向に向けられている点、及び、曳行時における取っ手３が前後方向の横軸芯まわりで格納姿勢と曳行作用姿勢とに姿勢変更できるように構成されている点で、前記図２５に示した構造のものと相違している。
この構造では、図２６（Ｉ）及び（ＩＩ）に示すように、ケース本体１の対角線方向で、ケース本体１の一側面に沿うように支脚２０のガイド体２１が設けられ、これに支脚２０のスライド杆２２が出退自在に構成されている。支脚２０の位置変更および固定のための構造は任意に構成すればよいが、一例を示せば、前記図２７に示した構造のものと同様のものでよい。
また、取っ手３の姿勢変更構造に関しては、図２６に示されているように、取っ手３は前後方向の横軸芯ｘ２まわりで姿勢変更自在に構成されているものであるから、全くなくても差し支えないが、設けるとすれば、例えば図示はしないが、つる巻きバネなどを用いて常時取っ手３を格納姿勢側に軽く付勢しておき、曳行作用姿勢時にバネに抗して取っ手３を前記横軸芯ｘ２まわりに回転させて曳行作用姿勢に変更できるようにすると、ケース本体１の自重がバネを延ばして曳行作用姿勢を維持し、取っ手３から手を離すとバネの復元力によって取っ手３が格納姿勢に自動復帰するように構成するとよい。
【００７６】
〔他の実施形態８〕
図２８（Ｉ）及び（ＩＩ）に示すように、ケース本体１の形状としては、矩形箱状のものに限らず、図２８（Ｉ）に示すように水平断面形状が楕円形を有するもの、あるいは、図２８（ＩＩ）に示すように水平断面がほぼ三角形状のものなど任意の形状のものであってもよく、要は長径方向が曳行方向を向くように転輪２の転動方向や取っ手３による曳行方向が定めてあればよい。
【００７７】
〔他の実施形態９〕
取っ手３の構造としては、前述の各実施形態においても種々の構造のものを採用することは自由であり、例えば、図示はしないが、伸縮杆部５０を単一の棒状に構成し、握り杆部５１はループ状に形成されたもの、あるいは先端側が開放されたＵ字状に構成されたものであってもよい。
また、取っ手３を、単一の引き手杆５と、左右に位置をずらした二つの保持筒４とで構成し、曳行し易い方向の保持筒４を選択して差し替えるようにしてもよい。あるいは、左右に位置をずらした二つの保持筒４の夫々に、伸縮自在な引き手杆５を夫々装着して、左右個別に引き出して使用できるように構成してもよい。
【００７８】
また、取っ手３において、伸縮杆部５０と握り杆部５１との相対位置関係に関しても、必ずしも曳行姿勢で握り杆部５１が伸縮杆部５０の前方側に存在した状態で用いられるものい限らず、例えば図２９に示すように、伸縮杆部５０の上端から握り杆部５１が後ろ向きに延出されている構造や、図示はしないが、伸縮杆部５０の上端の前後にわたって握り杆部５１が設けられている構造のものであってもよい。
図２９に記載したように、伸縮杆部５０の上端から握り杆部５１が後ろ向きに延出されている構造であると、重心Ｇが前記転輪２の接地点Ｏとおる鉛直線ｙの直上に位置する基準曳行姿勢で、前記転輪２の接地点Ｏと前記取っ手３の握り部３０の中央箇所Ｍとを結ぶ線分ｙ１が、前記鉛直線ｙにきわめて近接、もしくは一致した状態となるように構成し易いものである。このように前記線分ｙ１と鉛直線ｙを極力近接させると、前記落差Ｌ４及び回転モーメントｍＧを極力小さくして、転倒し難い構成を得やすい点での有利さがある。
【００７９】
さらに、取っ手３の形態とケース本体１の形態との組み合わせの構造としても、上述の各実施形態のものに限らず、任意の組み合わせ構造を選択することができる。
【００８０】
〔その他〕
［１］；転輪２は、ケース本体１を前傾させた姿勢で曳行するには、側面視でケース本体１の前方下方の一角部に設けてあれば事足りるものであるが、その曳行姿勢とは別にケース本体１を前傾させずに起立させたまま移動させる用途のために、別途、補助の転輪を後方側に設けて、四輪または三輪で転動するようにしてもよい。この場合、曳行姿勢で用いる転輪２をキャスター車輪としたり、起立姿勢で用いる補助転輪をキャスター車輪で構成するなどしてもよい。
［２］；基準曳行姿勢における取っ手３の握り部３０の対水平姿勢は、水平線と平行であるのが最も望ましいことは云うまでもないが、ある程度、例えば１０度以内程度の前上がり若しくは前下がりの傾斜角度を有したものであれば支障なく用いることができるものであり、１０度を越えても２０度以内程度であれば、多少の操作のし難さを伴なうことがあっても、さほど問題なく用いることができるものである。要は、基準曳行姿勢で、ケース本体１の重心が後方側へ移行してケース本体１の後傾動作が生じようとしたとき、握り部３０を把持する操作者がケース本体１の後傾を阻止できるように操作力を加えることが問題なくできる程度の傾斜であることが必要である。
［３］；支脚２０としては、伸縮式の構造のものに限らず、曳行時にケース本体１の下方に位置する角部近くを支点として起伏揺動する揺動式ものなどで構成してもよい。
［４］；伸縮構造の支脚２０において、スライド杆２２を収縮方向もしくは突出方向へ付勢するスプリングなどの付勢手段を設けて、係合溝２５に対する操作突片２４の解除によってスライド杆２２が自動的に収縮もしくは突出するように構成してもよい。
［５］；揺動して姿勢変更する握り部３０の作用姿勢への付勢手段６１としては、実施形態で示したような円環状のバネ材を用いるものに限らず、一方向に付勢するコイルスプリングや板状バネ、あるいは、弾性ゴムなど、適宜の付勢手段を用いることができる。要はデッドポイントを越えた状態の複数位置で位置保持できるように付勢できる手段であればよい。
【図面の簡単な説明】
【００８１】
【図１】転輪付き鞄の全体を示す斜視図
【図２】転輪付き鞄の全体を示し、（Ｉ）が正面図、（ＩＩ）が側面図である。
【図３】曳行状態の転輪付き鞄の全体を示し、（Ｉ）が側面図、（ＩＩ）が背面図である。
【図４】伸縮式の取っ手部分の断面図
【図５】伸縮式の取っ手部分の屈伸構造に関する側面視での断面図
【図６】伸縮式の取っ手部分の屈伸構造に関する一部切り欠き背面図
【図７】従来技術を示す概略側面図
【図８】転輪付き鞄の使用状態を示す概略側面図
【図９】転輪付き鞄の使用状態を示す図であり、（Ｉ）が正面図、（ＩＩ）が平面図である。
【図１０】転輪付き鞄の左右傾動時の作用を示す説明図であり、（Ｉ）は片輪が凸部に乗り上げた状態、（ＩＩ）は片輪が凹部に落ち込んだ状態を示す。
【図１１】取っ手部分での把持作用を示す説明図
【図１２】従来の転輪付き鞄の使用状態における動作説明図
【図１３】従来の転輪付き鞄の使用状態における動作説明図であり、（Ｉ）が下引き式の転輪付き鞄、（ＩＩ）が上引き式の転輪付き鞄を示す。
【図１４】転輪付き鞄の使用状態における動作説明図
【図１５】転輪付き鞄の他の実施形態を示し、（Ｉ）が側面図、（ＩＩ）が背面図である。
【図１６】揺動式の取っ手部分を示し、（Ｉ）が揺動軸芯に交差する長手方向での断面図、（ＩＩ）が揺動軸芯に沿う左右方向での断面図である。
【図１７】転輪付き鞄の他の実施形態を示す側面図
【図１８】転輪付き鞄の他の実施形態を示す平面図
【図１９】締め付け機構部分を示す側面図と平面図
【図２０】転輪付き鞄の他の実施形態を示す側面図
【図２１】転輪付き鞄の他の実施形態を示す平面図
【図２２】転輪付き鞄の他の実施形態を示し、（Ｉ）が正面図、（ＩＩ）が側面図、（ＩＩＩ）が使用状態を示す説明図である。
【図２３】転輪付き鞄の他の実施形態を示す斜視図であり、（Ｉ）が中型のもの、（ＩＩ）が小型のものを示している。
【図２４】転輪付き鞄の他の実施形態を示し、（Ｉ）が正面図、（ＩＩ）が側面図、（ＩＩＩ）が使用状態を示す説明図である。
【図２５】転輪付き鞄の他の実施形態を示し、（Ｉ）が正面図、（ＩＩ）が側面図、（ＩＩＩ）が背面図である。
【図２６】転輪付き鞄の他の実施形態を示し、（Ｉ）が側面図、（ＩＩ）が背面図である。
【図２７】支脚部分の伸縮構造を示し、（Ｉ）が底面図、（ＩＩ）がＩ−Ｉ線断面図である。
【図２８】ケース本体部分の形状についての別実施形態を示し、（Ｉ），（ＩＩ）とも概略断面図である。
【図２９】転輪付き鞄の他の実施形態を示す側面図
【符号の説明】
【００８２】
１      ケース本体
１Ａ    横向き面
１Ｂ    周辺枠面
２      転輪
３      取っ手
４      保持筒
５      引き手杆
６      姿勢変更機構
７      提げ手
８      締め付け機構
１０    ケース壁
１１    周辺ケース壁
１２    横側ケース壁
１３    スライドファスナー
２０    支脚
３０    握り部
５０    伸縮杆部
５１    握り杆部
ａ      縦辺
ｂ      横辺
ｃ      奥行き辺
Ｇ      重心
Ｏ      接地点
Ｈ２    地面から取っ手上端までの高さ
Ｍ      握り部の中央箇所
Ｌ      接地点から取っ手端部までの長さ
Ｌ１    取っ手の引き出し長さ
Ｌ２    ケース本体端部から取っ手中心までの左右方向距離
Ｌ３    接地点と握り部の中央箇所を結ぶ線分から重心までの垂直距離
Ｌ４    落差
ｙ      接地点を通る鉛直線
ｙ１    接地点と握り部の中央箇所を結ぶ線分
ｙ２    接地点と重心相当個所を結ぶ線分
【図１】
2007020671.tif 000003
【図２】
2007020671.tif 000004
【図３】
2007020671.tif 000005
【図４】
2007020671.tif 000006
【図５】
2007020671.tif 000007
【図６】
2007020671.tif 000008
【図７】
2007020671.tif 000009
【図８】
2007020671.tif 000010
【図９】
2007020671.tif 000011
【図１０】
2007020671.tif 000012
【図１１】
2007020671.tif 000013
【図１２】
2007020671.tif 000014
【図１３】
2007020671.tif 000015
【図１４】
2007020671.tif 000016
【図１５】
2007020671.tif 000017
【図１６】
2007020671.tif 000018
【図１７】
2007020671.tif 000019
【図１８】
2007020671.tif 000020
【図１９】
2007020671.tif 000021
【図２０】
2007020671.tif 000022
【図２１】
2007020671.tif 000023
【図２２】
2007020671.tif 000024
【図２３】
2007020671.tif 000025
【図２４】
2007020671.tif 000026
【図２５】
2007020671.tif 000027
【図２６】
2007020671.tif 000028
【図２７】
2007020671.tif 000029
【図２８】
2007020671.tif 000030
【図２９】
2007020671.tif 000031